(57)【要約】【課題】本発明の実施例は、無線通信方法、ネットワークデバイス、ユーザ装置、及びシステムを提供する。【解決手段】方法は、ネットワークデバイスによって、制御情報を生成するステップであって、制御情報が、ユーザ装置とネットワークデバイスとの間の第１の伝送のための時間領域リソースを指示するために使用される第１の指示情報を含み、第１の伝送の１回の伝送によってリソースを占有する持続時間が１ミリ秒未満である、ステップと、ネットワークデバイスによって、制御情報をユーザ装置に送信するステップとを含む。ユーザ装置は、制御情報に従って、第１の伝送を使用することによりネットワークデバイスと通信するための時間領域リソースを取得し、取得された時間領域リソース上でネットワークデバイスと通信することができる。したがって、伝送遅延時間が短縮されることができ、ユーザエクスペリエンスと無線ネットワーク性能が大幅に改善されることができる。【選択図】図４
2020092426.tif 000002
【特許請求の範囲】
【請求項１】
ネットワークデバイスによって実行される無線通信方法であって、
制御情報を生成するステップであって、前記制御情報が、ユーザ装置と前記ネットワークデバイスとの間の第１の伝送のための時間領域リソースを指示するために使用される第１の指示情報を含み、前記第１の伝送の１回の伝送によってリソースを占有する持続時間が１ミリ秒未満である、ステップと、
前記制御情報を前記ユーザ装置に送信するステップとを含み、
周波数領域帯域幅が複数の周波数帯域部分に分割され、前記制御情報がある周波数帯域部分にある場合、前記ユーザ装置と前記ネットワークデバイスとの間の前記第１の伝送は、前記ある周波数帯域部分にて行われる、方法。
【請求項２】
前記制御情報が、前記第１の伝送に関連する無線ネットワーク一時識別子（ＲＮＴＩ）を搬送する、請求項１に記載の方法。
【請求項３】
前記制御情報を前記ユーザ装置に送信する前記ステップが、
第１のサブフレームにおける最初のＭ個の時間領域シンボルを使用することにより物理ダウンリンク制御チャネル（ＰＤＣＣＨ）情報を前記ユーザ装置に送信するステップであって、前記ＰＤＣＣＨ情報が前記制御情報を含み、Ｍが正の整数であり、前記第１のサブフレームに含まれる時間領域シンボル内の最初のＭ個の時間領域シンボルを除く他の時間領域シンボルが複数のユーザ装置に割り当てられる、ステップを含む、請求項１又は請求項２に記載の方法。
【請求項４】
前記制御情報を前記ユーザ装置に送信する前記ステップが、
第２のサブフレームにおけるＮ個の時間領域シンボルを使用することにより物理ダウンリンク共有チャネル（ＰＤＳＣＨ）を前記ユーザ装置に送信するステップであって、前記Ｎ個の時間領域シンボルの最初のＫ個の時間領域シンボルが前記制御情報を搬送し、Ｎ及びＫが正の整数である、ステップを含む、請求項１又は請求項２に記載の方法。
【請求項５】
前記第１の指示情報が、前記第１のサブフレーム内にあって、かつ前記時間領域リソースによって占有される時間領域シンボルを指示するとともに、前記第１の指示情報によって指示される前記時間領域シンボルが、前記ＰＤＣＣＨ情報によって占有される前記時間領域シンボルを含まない、請求項３に記載の方法。
【請求項６】
前記第１の指示情報が、前記第２のサブフレーム内にあって、かつ前記時間領域リソースによって占有される時間領域シンボルを指示するとともに、前記第１の指示情報によって指示される前記時間領域シンボルが、ＰＤＣＣＨによって占有される時間領域シンボル又は前記最初のＫ個の時間領域シンボルを含まない、請求項４に記載の方法。
【請求項７】
前記第１の指示情報が、サブフレーム内にあって、かつ前記時間領域リソースによって占有される時間領域シンボルに対応する時間領域シンボルセットを指示する、請求項１又は請求項２に記載の方法。
【請求項８】
前記制御情報が、下記の情報、すなわち、前記第１の伝送に対応するハイブリッド自動再送要求（ＨＡＲＱ）の処理番号を指示するために使用される識別情報か、又は、前記第１の伝送に対応する再伝送冗長バージョンを指示するために使用される第２の指示情報のうちの少なくとも１つを更に含む、請求項１から請求項７のいずれか一項に記載の方法。
【請求項９】
ユーザ装置によって実行される無線通信方法であって、
ネットワークデバイスによって送信された制御情報を受信するステップであって、前記制御情報が、前記ユーザ装置と前記ネットワークデバイスとの間の第１の伝送のための時間領域リソースを指示するために使用される第１の指示情報を含み、前記第１の伝送の１回の伝送によってリソースを占有する持続時間が１ミリ秒未満である、ステップと、
前記制御情報に従って前記ネットワークデバイスと通信するステップとを含み、
周波数領域帯域幅が複数の周波数帯域部分に分割され、前記制御情報がある周波数帯域部分にある場合、前記ユーザ装置と前記ネットワークデバイスとの間の前記第１の伝送は、前記ある周波数帯域部分にて行われる、方法。
【請求項１０】
前記制御情報が、前記第１の伝送に関連する無線ネットワーク一時識別子（ＲＮＴＩ）を搬送する、請求項９に記載の方法。
【請求項１１】
ネットワークデバイスによって送信された制御情報を受信する前記ステップが、
第１のサブフレームにおける最初のＭ個の時間領域シンボル上で、前記ネットワークデバイスによって送信された物理ダウンリンク制御チャネル（ＰＤＣＣＨ）情報を受信するステップであって、前記ＰＤＣＣＨ情報が前記制御情報を含み、Ｍが正の整数であり、前記第１のサブフレームに含まれる時間領域シンボル内の最初のＭ個の時間領域シンボルを除く他の時間領域シンボルが複数のユーザ装置に割り当てられる、ステップを含む、請求項９又は請求項１０に記載の方法。
【請求項１２】
ネットワークデバイスによって送信された制御情報を受信する前記ステップが、
第２のサブフレームにおけるＮ個の時間領域シンボル上で、前記ネットワークデバイスによって送信された物理ダウンリンク共有チャネル（ＰＤＳＣＨ）を受信するステップであって、前記Ｎ個の時間領域シンボルの最初のＫ個の時間領域シンボルが前記制御情報を搬送し、Ｎ及びＫが正の整数である、ステップを含む、請求項９又は請求項１０に記載の方法。
【請求項１３】
前記第１の指示情報が、前記第１のサブフレーム内にあって、かつ前記時間領域リソースによって占有される時間領域シンボルを指示するとともに、前記第１の指示情報によって指示される前記時間領域シンボルが、前記ＰＤＣＣＨ情報によって占有される前記時間領域シンボルを含まない、請求項１１に記載の方法。
【請求項１４】
前記第１の指示情報が、前記第２のサブフレーム内にあって、かつ前記時間領域リソースによって占有される時間領域シンボルを指示するとともに、前記第１の指示情報によって指示される前記時間領域シンボルが、ＰＤＣＣＨによって占有される時間領域シンボル又は前記最初のＫ個の時間領域シンボルを含まない、請求項１２に記載の方法。
【請求項１５】
前記第１の指示情報が、サブフレーム内にあって、かつ前記時間領域リソースによって占有される時間領域シンボルに対応する時間領域シンボルセットを指示する、請求項９又は請求項１０に記載の方法。
【請求項１６】
前記制御情報が、下記の情報、すなわち、前記第１の伝送に対応するハイブリッド自動再送要求（ＨＡＲＱ）の処理番号を指示するために使用される識別情報か、又は、前記第１の伝送に対応する再伝送冗長バージョンを指示するために使用される第２の指示情報のうちの少なくとも１つを更に含む、請求項９から請求項１５のいずれか一項に記載の方法。
【請求項１７】
ネットワークデバイスであって、
制御情報を生成するように構成された情報生成モジュールであって、前記制御情報が、ユーザ装置と前記ネットワークデバイスとの間の第１の伝送のための時間領域リソースを指示するために使用される第１の指示情報を含み、前記第１の伝送の１回の伝送によってリソースを占有する持続時間が１ミリ秒未満である、情報生成モジュールと、
前記制御情報を前記ユーザ装置に送信するように構成された送信モジュールとを備え、
周波数領域帯域幅が複数の周波数帯域部分に分割され、前記制御情報がある周波数帯域部分にある場合、前記ユーザ装置と前記ネットワークデバイスとの間の前記第１の伝送は、前記ある周波数帯域部分にて行われる、ネットワークデバイス。
【請求項１８】
前記制御情報が、前記第１の伝送に関連する無線ネットワーク一時識別子（ＲＮＴＩ）を搬送する、請求項１７に記載のネットワークデバイス。
【請求項１９】
前記送信モジュールが前記制御情報を前記ユーザ装置に送信することが、
第１のサブフレームにおける最初のＭ個の時間領域シンボルを使用することにより物理ダウンリンク制御チャネル（ＰＤＣＣＨ）情報を前記ユーザ装置に送信することであって、前記ＰＤＣＣＨ情報が前記制御情報を含み、Ｍが正の整数であり、前記第１のサブフレームに含まれる時間領域シンボル内の最初のＭ個の時間領域シンボルを除く他の時間領域シンボルが複数のユーザ装置に割り当てられる、送信することを含む、請求項１７又は請求項１８に記載のネットワークデバイス。
【請求項２０】
前記送信モジュールが前記制御情報を前記ユーザ装置に送信することが、
第２のサブフレームにおけるＮ個の時間領域シンボルを使用することにより物理ダウンリンク共有チャネル（ＰＤＳＣＨ）を前記ユーザ装置に送信することであって、前記Ｎ個の時間領域シンボルの最初のＫ個の時間領域シンボルが前記制御情報を搬送し、Ｎ及びＫが正の整数である、送信することを含む、請求項１７又は請求項１８に記載のネットワークデバイス。
【請求項２１】
前記第１の指示情報が、前記第１のサブフレーム内にあって、かつ前記時間領域リソースによって占有される時間領域シンボルを指示するとともに、前記第１の指示情報によって指示される前記時間領域シンボルが、前記ＰＤＣＣＨ情報によって占有される前記時間領域シンボルを含まない、請求項１９に記載のネットワークデバイス。
【請求項２２】
前記第１の指示情報が、前記第２のサブフレーム内にあって、かつ前記時間領域リソースによって占有される時間領域シンボルを指示するとともに、前記第１の指示情報によって指示される前記時間領域シンボルが、ＰＤＣＣＨによって占有される時間領域シンボル又は前記最初のＫ個の時間領域シンボルを含まない、請求項２０に記載のネットワークデバイス。
【請求項２３】
前記第１の指示情報が、サブフレーム内にあって、かつ前記時間領域リソースによって占有される時間領域シンボルに対応する時間領域シンボルセットを指示する、請求項１７又は請求項１８に記載のネットワークデバイス。
【請求項２４】
前記制御情報が、下記の情報、すなわち、前記第１の伝送に対応するハイブリッド自動再送要求（ＨＡＲＱ）の処理番号を指示するために使用される識別情報か、又は、前記第１の伝送に対応する再伝送冗長バージョンを指示するために使用される第２の指示情報のうちの少なくとも１つを更に含む、請求項１７から請求項２３のいずれか一項に記載のネットワークデバイス。
【請求項２５】
ユーザ装置であって、
ネットワークデバイスによって送信された制御情報を受信するように構成されたトランシーバモジュールであって、前記制御情報が、前記ユーザ装置と前記ネットワークデバイスとの間の第１の伝送のための時間領域リソースを指示するために使用される第１の指示情報を含み、前記第１の伝送の１回の伝送によってリソースを占有する持続時間が１ミリ秒未満である、トランシーバモジュールと、
前記制御情報に従って前記ネットワークデバイスと通信するように前記トランシーバモジュールを制御するように構成された処理モジュールとを備え、
周波数領域帯域幅が複数の周波数帯域部分に分割され、前記制御情報がある周波数帯域部分にある場合、前記ユーザ装置と前記ネットワークデバイスとの間の前記第１の伝送は、前記ある周波数帯域部分にて行われる、ユーザ装置。
【請求項２６】
前記制御情報が、前記第１の伝送に関連する無線ネットワーク一時識別子（ＲＮＴＩ）を搬送する、請求項２５に記載のユーザ装置。
【請求項２７】
前記トランシーバモジュールが前記ネットワークデバイスによって送信された前記制御情報を受信することが、第１のサブフレームにおける最初のＭ個の時間領域シンボル上で、前記ネットワークデバイスによって送信された物理ダウンリンク制御チャネル（ＰＤＣＣＨ）情報を受信することであって、前記ＰＤＣＣＨ情報が前記制御情報を含み、Ｍが正の整数であり、前記第１のサブフレームに含まれる時間領域シンボル内の最初のＭ個の時間領域シンボルを除く他の時間領域シンボルが複数のユーザ装置に割り当てられる、受信することを含む、請求項２５又は請求項２６に記載のユーザ装置。
【請求項２８】
前記トランシーバモジュールが前記ネットワークデバイスによって送信された前記制御情報を受信することが、第２のサブフレームにおけるＮ個の時間領域シンボル上で、前記ネットワークデバイスによって送信された物理ダウンリンク共有チャネル（ＰＤＳＣＨ）を受信することであって、前記Ｎ個の時間領域シンボルの最初のＫ個の時間領域シンボルが前記制御情報を搬送し、Ｎ及びＫが正の整数である、受信することを含む、請求項２５又は請求項２６に記載のユーザ装置。
【請求項２９】
前記第１の指示情報が、前記第１のサブフレーム内にあって、かつ前記時間領域リソースによって占有される時間領域シンボルを指示するとともに、前記第１の指示情報によって指示される前記時間領域シンボルが、前記ＰＤＣＣＨ情報によって占有される前記時間領域シンボルを含まない、請求項２７に記載のユーザ装置。
【請求項３０】
前記第１の指示情報が、前記第２のサブフレーム内にあって、かつ前記時間領域リソースによって占有される時間領域シンボルを指示するとともに、前記第１の指示情報によって指示される前記時間領域シンボルが、ＰＤＣＣＨによって占有される時間領域シンボル又は前記最初のＫ個の時間領域シンボルを含まない、請求項２８に記載のユーザ装置。
【請求項３１】
前記第１の指示情報が、サブフレーム内にあって、かつ前記時間領域リソースによって占有される時間領域シンボルに対応する時間領域シンボルセットを指示する、請求項２５又は請求項２６に記載のユーザ装置。
【請求項３２】
前記制御情報が、下記の情報、すなわち、前記第１の伝送に対応するハイブリッド自動再送要求（ＨＡＲＱ）の処理番号を指示するために使用される識別情報か、又は、前記第１の伝送に対応する再伝送冗長バージョンを指示するために使用される第２の指示情報のうちの少なくとも１つを更に含む、請求項２５から請求項３１のいずれか一項に記載のユーザ装置。
【請求項３３】
命令を含むコンピュータプログラムであって、当該プログラムがコンピュータによって実行されると、前記命令が請求項９から請求項１６のいずれか一項に記載の方法を前記コンピュータに実行させる、コンピュータプログラム。
【発明の詳細な説明】
【技術分野】
【０００１】
本発明は、通信分野に関し、より詳細には、無線通信方法、ネットワークデバイス、ユーザ装置、及びシステムに関する。
【背景技術】
【０００２】
ロングタームエボリューション（Long  Term  Evolution、略して“ＬＴＥ”）プロトコルにおいて、フレーム構造は、図１及び図２において示されるように、周波数分割複信（Frequency  Division  Duplex、略して“ＦＤＤ”）フレーム構造、及び時分割複信（Time  Division  Duplex、略して“ＴＤＤ”）フレーム構造に分類される。２つのタイプのフレーム構造について、基本単位は２つのタイムスロット（slot）を含む１ｍｓのサブフレームである。各タイムスロットは０．５ｍｓの時間を占有する。無線フレームは１０ｍｓの時間を占有する。伝送中、データを伝送するために使用される最小時間単位は１ｍｓサブフレームである。すなわち、伝送処理において、特定のユーザ装置（User  Equipment、略して“ＵＥ”）の送受信対象データは、１ｍｓの時間単位でリソースにマッピングされる必要があり、１ｍｓのサブフレームへのマッピングが完了した後に生成されたデータが伝送される。さらに、ＬＴＥシステム全体の設計においては、１ｍｓの最大データパケットの受信及び処理の時間遅延に関するＵＥ側の制限を考慮すると、サブフレームｎでデータを受信した後に、ＵＥは、サブフレームｎ＋ｋの位置、ただしｋ≧４においてのみ、対応する送信を実行することができる。したがって、１回のアップリンク伝送の間、基地局がアップリンクデータをスケジューリングする時から、ダウンリンクでデータが伝送される時まで、そして基地局が対応するフィードバックを提供する時までに必要とされる一往復時間（Round  Trip  Time、略して“ＲＴＴ”）は、８ｍｓより短くない。
【０００３】
ＴＤＤシステムでは、異なるサブフレームがアップリンク及びダウンリンクで占有される。したがって、ＲＴＴは一般に８ｍｓより長い。例えば、いくつかのＴＤＤ構成では、ＲＴＴは１３ｍｓ又は１６ｍｓに達する。８ｍｓは、単一伝送のＲＴＴに必要とされる最小エアインタフェース時間遅延である。伝送処理におけるサービスのシグナリング対話手順が考慮される場合、例えば、Ｍ個の対話が実行され、サービスが開始される時からサービスが正式に伝送され始める時までには、８Ｍ（ｍｓ）の最小時間遅延が存在する。Ｍ＝１０の場合、８０ｍｓの時間遅延が必要になる。これは、ユーザエクスペリエンスと無線ネットワークの性能に大きく影響を及ぼす。
【発明の概要】
【０００４】
本発明は、無線通信方法、ネットワークデバイス、ユーザ装置、及びシステムを提供し、その結果、伝送遅延時間が短縮されることができ、ユーザエクスペリエンスと無線ネットワーク性能が改善されることができる。
【０００５】
第１の態様によれば、無線通信方法であって、ネットワークデバイスによって、制御情報を生成するステップであって、前記制御情報が、ユーザ装置と前記ネットワークデバイスとの間の第１の伝送のための時間領域リソースを指示するために使用される第１の指示情報を含み、前記第１の伝送の１回の伝送によってリソースを占有する持続時間が１ミリ秒未満である、ステップと、前記ネットワークデバイスによって、前記制御情報を前記ユーザ装置に送信するステップとを含む、方法が提供される。
【０００６】
第１の態様に関連して、第１の態様の第１の可能な実装例において、前記制御情報は、前記第１の伝送に関連する無線ネットワーク一時識別子（ＲＮＴＩ）を搬送する。
【０００７】
第１の態様、又は第１の態様の第１の可能な実装例に関連して、第１の態様の第２の可能な実装例において、前記制御情報を前記ユーザ装置に送信する前記ステップは、第１のサブフレームにおける最初のＭ個の時間領域シンボルを使用することにより物理ダウンリンク制御チャネル（ＰＤＣＣＨ）情報を前記ユーザ装置に送信するステップであって、前記ＰＤＣＣＨ情報が前記制御情報を含み、Ｍが正の整数であり、前記第１のサブフレームに含まれる時間領域シンボル内の最初のＭ個の時間領域シンボルを除く他の時間領域シンボルが複数のユーザ装置に割り当てられる、ステップを含む。
【０００８】
第１の態様、又は第１の態様の第１の可能な実装例に関連して、第１の態様の第３の可能な実装例において、前記制御情報を前記ユーザ装置に送信する前記ステップは、第２のサブフレームにおけるＮ個の時間領域シンボルを使用することにより物理ダウンリンク共有チャネル（ＰＤＳＣＨ）を前記ユーザ装置に送信するステップであって、前記Ｎ個の時間領域シンボルの最初のＫ個の時間領域シンボルが前記制御情報を搬送し、Ｎ及びＫが正の整数である、ステップを含む。
【０００９】
第１の態様の第２の可能な実装例に関連して、第１の態様の第４の可能な実装例において、前記第１の指示情報は、前記第１のサブフレーム内にあって、かつ前記時間領域リソースによって占有される時間領域シンボルを指示するとともに、前記第１の指示情報によって指示される前記時間領域シンボルは、前記ＰＤＣＣＨ情報によって占有される前記時間領域シンボルを含まない。
【００１０】
第１の態様の第３の可能な実装例に関連して、第１の態様の第５の可能な実装例において、前記第１の指示情報は、前記第２のサブフレーム内にあって、かつ前記時間領域リソースによって占有される時間領域シンボルを指示するとともに、前記第１の指示情報によって指示される前記時間領域シンボルは、ＰＤＣＣＨによって占有される時間領域シンボル又は前記最初のＫ個の時間領域シンボルを含まない。
【００１１】
第１の態様、又は第１の態様の第１の可能な実装例に関連して、第１の態様の第６の可能な実装例において、前記第１の指示情報は、サブフレーム内にあって、かつ前記時間領域リソースによって占有される時間領域シンボルに対応する時間領域シンボルセットを指示する。
【００１２】
第１の態様、又は第１の態様の第１から第６の可能な実装例のうちのいずれか１つに関連して、第１の態様の第７の可能な実装例において、前記制御情報は、下記の情報、すなわち、前記第１の伝送に対応するハイブリッド自動再送要求（ＨＡＲＱ）の処理番号を指示するために使用される識別情報か、又は、前記第１の伝送に対応する再伝送冗長バージョンを指示するために使用される第２の指示情報のうちの少なくとも１つを更に含む。
【００１３】
第２の態様によれば、無線通信方法であって、ユーザ装置によって、ネットワークデバイスによって送信された制御情報を受信するステップであって、前記制御情報が、前記ユーザ装置と前記ネットワークデバイスとの間の第１の伝送のための時間領域リソースを指示するために使用される第１の指示情報を含み、前記第１の伝送の１回の伝送によってリソースを占有する持続時間が１ミリ秒未満である、ステップと、前記ユーザ装置によって、前記制御情報に従って前記ネットワークデバイスと通信するステップとを含む、方法が提供される。
【００１４】
第２の態様に関連して、第２の態様の第１の可能な実装例において、前記制御情報は、前記第１の伝送に関連する無線ネットワーク一時識別子（ＲＮＴＩ）を搬送する。
【００１５】
第２の態様、又は第２の態様の第１の可能な実装例に関連して、第２の態様の第２の可能な実装例において、ネットワークデバイスによって送信された制御情報を受信する前記ステップは、第１のサブフレームにおける最初のＭ個の時間領域シンボル上で、前記ネットワークデバイスによって送信された物理ダウンリンク制御チャネル（ＰＤＣＣＨ）情報を受信するステップであって、前記ＰＤＣＣＨ情報が前記制御情報を含み、Ｍが正の整数であり、前記第１のサブフレームに含まれる時間領域シンボル内の最初のＭ個の時間領域シンボルを除く他の時間領域シンボルが複数のユーザ装置に割り当てられる、ステップを含む。
【００１６】
第２の態様、又は第２の態様の第１の可能な実装例に関連して、第２の態様の第３の可能な実装例において、ネットワークデバイスによって送信された制御情報を受信する前記ステップは、第２のサブフレームにおけるＮ個の時間領域シンボル上で、前記ネットワークデバイスによって送信された物理ダウンリンク共有チャネル（ＰＤＳＣＨ）を受信するステップであって、前記Ｎ個の時間領域シンボルの最初のＫ個の時間領域シンボルが前記制御情報を搬送し、Ｎ及びＫが正の整数である、ステップを含む。
【００１７】
第２の態様の第２の可能な実装例に関連して、第２の態様の第４の可能な実装例において、前記第１の指示情報は、前記第１のサブフレーム内にあって、かつ前記時間領域リソースによって占有される時間領域シンボルを指示するとともに、前記第１の指示情報によって指示される前記時間領域シンボルは、前記ＰＤＣＣＨ情報によって占有される前記時間領域シンボルを含まない。
【００１８】
第２の態様の第３の可能な実装例に関連して、第２の態様の第５の可能な実装例において、前記第１の指示情報は、前記第２のサブフレーム内にあって、かつ前記時間領域リソースによって占有される時間領域シンボルを指示するとともに、前記第１の指示情報によって指示される前記時間領域シンボルは、ＰＤＣＣＨによって占有される時間領域シンボル又は前記最初のＫ個の時間領域シンボルを含まない。
【００１９】
第２の態様、又は第２の態様の第１の可能な実装例に関連して、第２の態様の第６の可能な実装例において、前記第１の指示情報は、サブフレーム内にあって、かつ前記時間領域リソースによって占有される時間領域シンボルに対応する時間領域シンボルセットを指示する。
【００２０】
第２の態様、又は第２の態様の第１から第６の可能な実装例のうちのいずれか１つに関連して、第２の態様の第７の可能な実装例において、前記制御情報は、下記の情報、すなわち、前記第１の伝送に対応するハイブリッド自動再送要求（ＨＡＲＱ）の処理番号を指示するために使用される識別情報か、又は、前記第１の伝送に対応する再伝送冗長バージョンを指示するために使用される第２の指示情報のうちの少なくとも１つを更に含む。
【００２１】
第３の態様によれば、無線通信方法であって、ネットワークデバイスによって、アップリンク伝送リソース指示情報をユーザ装置に送信するステップと、前記ネットワークデバイスによって、アップリンク伝送リソースに含まれる少なくとも２つの独立したサブ伝送リソース上で、前記ユーザ装置によって送信されたデータパケットを受信するステップであって、前記アップリンク伝送リソースが、前記アップリンク伝送リソース指示情報に従って前記ユーザ装置によって判定され、前記少なくとも２つの独立したサブ伝送リソースの各々の時間領域における粒度が、事前に設定されたシンボル量である、ステップとを含む、方法が提供される。
【００２２】
第３の態様に関連して、第３の態様の第１の可能な実装例において、前記アップリンク伝送リソース指示情報は、下記の情報、すなわち、前記少なくとも２つの独立したサブ伝送リソースの割り当てタイプ情報か、前記少なくとも２つの独立したサブ伝送リソースの各々に対応するサブフレーム番号情報か、又は、サブフレーム内にあって、かつ前記少なくとも２つの独立したサブ伝送リソースの各々に対応する時間領域シンボル及び周波数領域位置情報のうちの少なくとも１つを含む。
【００２３】
第３の態様に関連して、第３の態様の第２の可能な実装例において、前記アップリンク伝送リソース指示情報は、前記アップリンク伝送リソースが、第１のサブフレームにおける、物理ダウンリンク制御チャネル（ＰＤＣＣＨ）によって占有されるリソースを除く残りのリソースの全部又は一部であることを指示する。
【００２４】
第３の態様に関連して、第３の態様の第３の可能な実装例において、前記アップリンク伝送リソース指示情報は、前記アップリンク伝送リソースが、Ｍ個の連続するサブフレームの各サブフレームにおける、ＰＤＣＣＨによって占有されるリソースを除く残りのリソースの一部を含み、Ｍが２以上の整数であることを指示するか、又は、前記アップリンク伝送リソース指示情報は、前記アップリンク伝送リソースが、Ｎ個の連続するサブフレームのうちの最初のＫ個のサブフレームの各サブフレームにおける、ＰＤＣＣＨによって占有されるリソースを除く残りのリソース、及び、前記Ｎ個の連続するサブフレームのうちの最後のＮ−Ｋ個のサブフレームの各サブフレームにおける、前記ＰＤＣＣＨによって占有されるリソースを除く残りのリソースの一部を含み、Ｎ及びＫが１以上の整数であることを指示する。
【００２５】
第４の態様によれば、無線通信方法であって、ユーザ装置によって、ネットワークデバイスによって送信されたアップリンク伝送リソース指示情報を受信するステップと、前記ユーザ装置によって、前記アップリンク伝送リソース指示情報に従ってアップリンク伝送リソースを判定するステップであって、前記アップリンク伝送リソースが、少なくとも２つの独立したサブ伝送リソースを含み、前記少なくとも２つの独立したサブ伝送リソースの各々の時間領域における粒度が、事前に設定されたシンボル量である、ステップと、前記ユーザ装置によって、前記少なくとも２つの独立したサブ伝送リソース上でデータパケットを前記ネットワークデバイスに送信するステップとを含む、方法が提供される。
【００２６】
第４の態様に関連して、第４の態様の第１の可能な実装例において、前記アップリンク伝送リソース指示情報は、下記の情報、すなわち、前記少なくとも２つの独立したサブ伝送リソースの割り当てタイプ情報か、前記少なくとも２つの独立したサブ伝送リソースの各々に対応するサブフレーム番号情報か、又は、サブフレーム内にあって、かつ前記少なくとも２つの独立したサブ伝送リソースの各々に対応する時間領域シンボル及び周波数領域位置情報のうちの少なくとも１つを含む。
【００２７】
第４の態様に関連して、第４の態様の第２の可能な実装例において、前記アップリンク伝送リソース指示情報は、前記アップリンク伝送リソースが、第１のサブフレームにおける、物理ダウンリンク制御チャネル（ＰＤＣＣＨ）によって占有されるリソースを除く残りのリソースの全部又は一部であることを指示する。
【００２８】
第４の態様に関連して、第４の態様の第３の可能な実装例において、前記アップリンク伝送リソース指示情報は、前記アップリンク伝送リソースが、Ｍ個の連続するサブフレームの各サブフレームにおける、ＰＤＣＣＨによって占有されるリソースを除く残りのリソースの一部を含み、Ｍが２以上の整数であることを指示するか、又は、前記アップリンク伝送リソース指示情報は、前記アップリンク伝送リソースが、Ｎ個の連続するサブフレームのうちの最初のＫ個のサブフレームの各サブフレームにおける、ＰＤＣＣＨによって占有されるリソースを除く残りのリソース、及び、前記Ｎ個の連続するサブフレームのうちの最後のＮ−Ｋ個のサブフレームの各サブフレームにおける、前記ＰＤＣＣＨによって占有されるリソースを除く残りのリソースの一部を含み、Ｎ及びＫが１以上の整数であることを指示する。
【００２９】
第５の態様によれば、ネットワークデバイスであって、制御情報を生成するように構成された情報生成モジュールであって、前記制御情報が、ユーザ装置と前記ネットワークデバイスとの間の第１の伝送のための時間領域リソースを指示するために使用される第１の指示情報を含み、前記第１の伝送の１回の伝送によってリソースを占有する持続時間が１ミリ秒未満である、情報生成モジュールと、前記制御情報を前記ユーザ装置に送信するように構成された送信モジュールとを含む、ネットワークデバイスが提供される。
【００３０】
第５の態様に関連して、第５の態様の第１の可能な実装例において、前記制御情報は、前記第１の伝送に関連する無線ネットワーク一時識別子（ＲＮＴＩ）を搬送する。
【００３１】
第５の態様、又は第５の態様の第１の可能な実装例に関連して、第５の態様の第２の可能な実装例において、前記送信モジュールが前記制御情報を前記ユーザ装置に送信することは、第１のサブフレームにおける最初のＭ個の時間領域シンボルを使用することにより物理ダウンリンク制御チャネル（ＰＤＣＣＨ）情報を前記ユーザ装置に送信することであって、前記ＰＤＣＣＨ情報が前記制御情報を含み、Ｍが正の整数であり、前記第１のサブフレームに含まれる時間領域シンボル内の最初のＭ個の時間領域シンボルを除く他の時間領域シンボルが複数のユーザ装置に割り当てられる、送信することを含む。
【００３２】
第５の態様、又は第５の態様の第１の可能な実装例に関連して、第５の態様の第３の可能な実装例において、前記送信モジュールが前記制御情報を前記ユーザ装置に送信することは、第２のサブフレームにおけるＮ個の時間領域シンボルを使用することにより物理ダウンリンク共有チャネル（ＰＤＳＣＨ）を前記ユーザ装置に送信することであって、前記Ｎ個の時間領域シンボルの最初のＫ個の時間領域シンボルが前記制御情報を搬送し、Ｎ及びＫが正の整数である、送信することを含む。
【００３３】
第５の態様の第２の可能な実装例に関連して、第５の態様の第４の可能な実装例において、前記第１の指示情報は、前記第１のサブフレーム内にあって、かつ前記時間領域リソースによって占有される時間領域シンボルを指示するとともに、前記第１の指示情報によって指示される前記時間領域シンボルは、前記ＰＤＣＣＨ情報によって占有される前記時間領域シンボルを含まない。
【００３４】
第５の態様の第３の可能な実装例に関連して、第５の態様の第５の可能な実装例において、前記第１の指示情報は、前記第２のサブフレーム内にあって、かつ前記時間領域リソースによって占有される時間領域シンボルを指示するとともに、前記第１の指示情報によって指示される前記時間領域シンボルは、ＰＤＣＣＨによって占有される時間領域シンボル又は前記最初のＫ個の時間領域シンボルを含まない。
【００３５】
第５の態様、又は第５の態様の第１の可能な実装例に関連して、第５の態様の第６の可能な実装例において、前記第１の指示情報は、サブフレーム内にあって、かつ前記時間領域リソースによって占有される時間領域シンボルに対応する時間領域シンボルセットを指示する。
【００３６】
第５の態様、又は第５の態様の第１から第６の可能な実装例のうちのいずれか１つに関連して、第５の態様の第７の可能な実装例において、前記制御情報は、下記の情報、すなわち、前記第１の伝送に対応するハイブリッド自動再送要求（ＨＡＲＱ）の処理番号を指示するために使用される識別情報か、又は、前記第１の伝送に対応する再伝送冗長バージョンを指示するために使用される第２の指示情報のうちの少なくとも１つを更に含む。
【００３７】
第６の態様によれば、ユーザ装置であって、ネットワークデバイスによって送信された制御情報を受信するように構成されたトランシーバモジュールであって、前記制御情報が、前記ユーザ装置と前記ネットワークデバイスとの間の第１の伝送のための時間領域リソースを指示するために使用される第１の指示情報を含み、前記第１の伝送の１回の伝送によってリソースを占有する持続時間が１ミリ秒未満である、トランシーバモジュールと、前記制御情報に従って前記ネットワークデバイスと通信するように前記トランシーバモジュールを制御するように構成された処理モジュールとを含む、ユーザ装置が提供される。
【００３８】
第６の態様に関連して、第６の態様の第１の可能な実装例において、前記制御情報は、前記第１の伝送に関連する無線ネットワーク一時識別子（ＲＮＴＩ）を搬送する。
【００３９】
第６の態様、又は第６の態様の第１の可能な実装例に関連して、第６の態様の第２の可能な実装例において、前記トランシーバモジュールが前記ネットワークデバイスによって送信された前記制御情報を受信することは、第１のサブフレームにおける最初のＭ個の時間領域シンボル上で、前記ネットワークデバイスによって送信された物理ダウンリンク制御チャネル（ＰＤＣＣＨ）情報を受信することであって、前記ＰＤＣＣＨ情報が前記制御情報を含み、Ｍが正の整数であり、前記第１のサブフレームに含まれる時間領域シンボル内の最初のＭ個の時間領域シンボルを除く他の時間領域シンボルが複数のユーザ装置に割り当てられる、受信することを含む。
【００４０】
第６の態様、又は第６の態様の第１の可能な実装例に関連して、第６の態様の第３の可能な実装例において、前記トランシーバモジュールが前記ネットワークデバイスによって送信された前記制御情報を受信することは、第２のサブフレームにおけるＮ個の時間領域シンボル上で、前記ネットワークデバイスによって送信された物理ダウンリンク共有チャネル（ＰＤＳＣＨ）を受信することであって、前記Ｎ個の時間領域シンボルの最初のＫ個の時間領域シンボルが前記制御情報を搬送し、Ｎ及びＫが正の整数である、受信することを含む。
【００４１】
第６の態様の第２の可能な実装例に関連して、第６の態様の第４の可能な実装例において、前記第１の指示情報は、前記第１のサブフレーム内にあって、かつ前記時間領域リソースによって占有される時間領域シンボルを指示するとともに、前記第１の指示情報によって指示される前記時間領域シンボルは、前記ＰＤＣＣＨ情報によって占有される前記時間領域シンボルを含まない。
【００４２】
第６の態様の第３の可能な実装例に関連して、第６の態様の第５の可能な実装例において、前記第１の指示情報は、前記第２のサブフレーム内にあって、かつ前記時間領域リソースによって占有される時間領域シンボルを指示するとともに、前記第１の指示情報によって指示される前記時間領域シンボルは、ＰＤＣＣＨによって占有される時間領域シンボル又は前記最初のＫ個の時間領域シンボルを含まない。
【００４３】
第６の態様、又は第６の態様の第１の可能な実装例に関連して、第６の態様の第６の可能な実装例において、前記第１の指示情報は、サブフレーム内にあって、かつ前記時間領域リソースによって占有される時間領域シンボルに対応する時間領域シンボルセットを指示する。
【００４４】
第６の態様、又は第６の態様の第１から第６の可能な実装例のうちのいずれか１つに関連して、第６の態様の第７の可能な実装例において、前記制御情報は、下記の情報、すなわち、前記第１の伝送に対応するハイブリッド自動再送要求（ＨＡＲＱ）の処理番号を指示するために使用される識別情報か、又は、前記第１の伝送に対応する再伝送冗長バージョンを指示するために使用される第２の指示情報のうちの少なくとも１つを更に含む。
【００４５】
第７の態様によれば、ネットワークデバイスであって、アップリンク伝送リソース指示情報をユーザ装置に送信するように構成された送信モジュールと、アップリンク伝送リソースに含まれる少なくとも２つの独立したサブ伝送リソース上で、前記ユーザ装置によって送信されたデータパケットを受信するように構成された受信モジュールであって、前記アップリンク伝送リソースが、前記アップリンク伝送リソース指示情報に従って前記ユーザ装置によって判定され、前記少なくとも２つの独立したサブ伝送リソースの各々の時間領域における粒度が、事前に設定されたシンボル量である、受信モジュールとを含む、ネットワークデバイスが提供される。
【００４６】
第７の態様に関連して、第７の態様の第１の可能な実装例において、前記アップリンク伝送リソース指示情報は、下記の情報、すなわち、前記少なくとも２つの独立したサブ伝送リソースの割り当てタイプ情報か、前記少なくとも２つの独立したサブ伝送リソースの各々に対応するサブフレーム番号情報か、又は、サブフレーム内にあって、かつ前記少なくとも２つの独立したサブ伝送リソースの各々に対応する時間領域シンボル及び周波数領域位置情報のうちの少なくとも１つを含む。
【００４７】
第７の態様に関連して、第７の態様の第２の可能な実装例において、前記アップリンク伝送リソース指示情報は、前記アップリンク伝送リソースが、第１のサブフレームにおける、物理ダウンリンク制御チャネル（ＰＤＣＣＨ）によって占有されるリソースを除く残りのリソースの全部又は一部であることを指示する。
【００４８】
第７の態様に関連して、第７の態様の第３の可能な実装例において、前記アップリンク伝送リソース指示情報は、前記アップリンク伝送リソースが、Ｍ個の連続するサブフレームの各サブフレームにおける、ＰＤＣＣＨによって占有されるリソースを除く残りのリソースの一部を含み、Ｍが２以上の整数であることを指示するか、又は、前記アップリンク伝送リソース指示情報は、前記アップリンク伝送リソースが、Ｎ個の連続するサブフレームのうちの最初のＫ個のサブフレームの各サブフレームにおける、ＰＤＣＣＨによって占有されるリソースを除く残りのリソース、及び、前記Ｎ個の連続するサブフレームのうちの最後のＮ−Ｋ個のサブフレームの各サブフレームにおける、前記ＰＤＣＣＨによって占有されるリソースを除く残りのリソースの一部を含み、Ｎ及びＫが１以上の整数であることを指示する。
【００４９】
第８の態様によれば、ユーザ装置であって、ネットワークデバイスによって送信されたアップリンク伝送リソース指示情報を受信するように構成されたトランシーバモジュールと、前記アップリンク伝送リソース指示情報に従ってアップリンク伝送リソースを判定するように構成された判定モジュールであって、前記アップリンク伝送リソースが、少なくとも２つの独立したサブ伝送リソースを含み、前記少なくとも２つの独立したサブ伝送リソースの各々の時間領域における粒度が、事前に設定されたシンボル量である、判定モジュールとを含み、前記トランシーバモジュールが、前記少なくとも２つの独立したサブ伝送リソース上でデータパケットを前記ネットワークデバイスに送信するように更に構成される、ユーザ装置が提供される。
【００５０】
第８の態様に関連して、第８の態様の第１の可能な実装例において、前記アップリンク伝送リソース指示情報は、下記の情報、すなわち、前記少なくとも２つの独立したサブ伝送リソースの割り当てタイプ情報か、前記少なくとも２つの独立したサブ伝送リソースの各々に対応するサブフレーム番号情報か、又は、サブフレーム内にあって、かつ前記少なくとも２つの独立したサブ伝送リソースの各々に対応する時間領域シンボル及び周波数領域位置情報のうちの少なくとも１つを含む。
【００５１】
第８の態様に関連して、第８の態様の第２の可能な実装例において、前記アップリンク伝送リソース指示情報は、前記アップリンク伝送リソースが、第１のサブフレームにおける、物理ダウンリンク制御チャネル（ＰＤＣＣＨ）によって占有されるリソースを除く残りのリソースの全部又は一部であることを指示する。
【００５２】
第８の態様に関連して、第８の態様の第３の可能な実装例において、前記アップリンク伝送リソース指示情報は、前記アップリンク伝送リソースが、Ｍ個の連続するサブフレームの各サブフレームにおける、ＰＤＣＣＨによって占有されるリソースを除く残りのリソースの一部を含み、Ｍが２以上の整数であることを指示するか、又は、前記アップリンク伝送リソース指示情報は、前記アップリンク伝送リソースが、Ｎ個の連続するサブフレームのうちの最初のＫ個のサブフレームの各サブフレームにおける、ＰＤＣＣＨによって占有されるリソースを除く残りのリソース、及び、前記Ｎ個の連続するサブフレームのうちの最後のＮ−Ｋ個のサブフレームの各サブフレームにおける、前記ＰＤＣＣＨによって占有されるリソースを除く残りのリソースの一部を含み、Ｎ及びＫが１以上の整数であることを指示する。
【００５３】
第９の態様によれば、無線通信システムであって、第５の態様、又は第５の態様の第１から第７の可能な実装例のうちのいずれか１つによるネットワークデバイスと、第６の態様、又は第６の態様の第１から第７の可能な実装例のうちのいずれか１つによるユーザ装置とを含む、無線通信システムが提供される。
【００５４】
第１０の態様によれば、無線通信システムであって、第７の態様、又は第７の態様の第１から第３の可能な実装例のうちのいずれか１つによるネットワークデバイスと、第８の態様、又は第８の態様の第１から第３の可能な実装例のうちのいずれか１つによるユーザ装置とを含む、無線通信システムが提供される。
【００５５】
上述の技術的特徴に基づくと、本発明の実施例において提供される無線通信方法、ネットワークデバイス、ユーザ装置、及びシステムによれば、ネットワークデバイスは、ユーザ装置とネットワークデバイスとの間の第１の伝送のための時間領域リソースを指示するために使用される第１の指示情報を含む制御情報をユーザ装置に送信する。ユーザ装置は、制御情報に従って、第１の伝送を使用することによりネットワークデバイスと通信するための時間領域リソースを取得し、取得された時間領域リソース上でネットワークデバイスと通信することができる。第１の伝送の１回の伝送によってリソースを占有する持続時間は１ｍｓ未満である。これは、通信処理における伝送時間遅延を低減し、ユーザエクスペリエンス及び無線ネットワーク性能を改善することができる。
【００５６】
本発明の実施例における技術的解決法をより明確に説明するために、下記は、実施例又は従来技術を説明するために必要とされる添付図面を簡単に説明する。明らかに、下記の説明における添付図面は本発明の単にいくつかの実施例を表すとともに、当業者は、創造的な努力なしでこれらの添付図面から更に他の図面を導き出し得る。
【図面の簡単な説明】
【００５７】
【図１】従来技術における周波数分割複信無線フレームのフレーム構造の概略図である。
【図２】従来技術における時分割複信無線フレームのフレーム構造の概略図である。
【図３】本発明の実施例が適用される通信システムの概略構成図である。
【図４】本発明の一実施例による無線通信方法の概略フローチャートである。
【図５】本発明の一実施例による制御情報が搬送される位置の概略図である。
【図６】本発明の別の実施例による制御情報が搬送される位置の概略図である。
【図７】本発明の別の実施例による無線通信方法の概略フローチャートである。
【図８】本発明の更に別の実施例による無線通信方法の概略フローチャートである。
【図９（ａ）】本発明の一実施例による独立したサブ伝送リソースの位置の概略図である。
【図９（ｂ）】本発明の一実施例による独立したサブ伝送リソースの位置の概略図である。
【図１０（ａ）】本発明の別の実施例による独立したサブ伝送リソースの位置の概略図である。
【図１０（ｂ）】本発明の別の実施例による独立したサブ伝送リソースの位置の概略図である。
【図１１】本発明の更に別の実施例による無線通信方法の概略フローチャートである。
【図１２】本発明の一実施例によるネットワークデバイスの概略ブロック図である。
【図１３】本発明の一実施例によるユーザ装置の概略ブロック図である。
【図１４】本発明の別の実施例によるネットワークデバイスの概略ブロック図である。
【図１５】本発明の別の実施例によるユーザ装置の概略ブロック図である。
【図１６】本発明の更に別の実施例によるネットワークデバイスの概略ブロック図である。
【図１７】本発明の更に別の実施例によるユーザ装置の概略ブロック図である。
【図１８】本発明の更に別の実施例によるネットワークデバイスの概略ブロック図である。
【図１９】本発明の更に別の実施例によるユーザ装置の概略ブロック図である。
【発明を実施するための形態】
【００５８】
下記は、本発明の実施例における添付図面を参照して、本発明の実施例における技術的解決法を明確かつ十分に説明する。明らかに、説明される実施例は本発明の実施例の全てではなく一部である。創作的な努力なしで本発明の実施例に基づいて当業者により獲得される他の全ての実施例は、本発明の保護範囲に含まれるものとする。
【００５９】
本発明の実施例の技術的解決法は、グローバルシステムフォーモバイルコミュニケーションズ（Global  System  for  Mobile  Communications、略して“ＧＳＭ”）システム、符号分割多元接続（Code  Division  Multiple  Access、略して“ＣＤＭＡ”）システム、広帯域符号分割多元接続（Wideband  Code  Division  Multiple  Access、略して“ＷＣＤＭＡ”）システム、ロングタームエボリューション（Long  Term  Evolution、略して“ＬＴＥ”）システム、ＬＴＥ周波数分割複信（Frequency  Division  Duplex、略して“ＦＤＤ”）システム、ＬＴＥ時分割複信（Time  Division  Duplex、略して“ＴＤＤ”）システム、ユニバーサルモバイルテレコミュニケーションズシステム（Universal  Mobile  Telecommunications  System、略して“ＵＭＴＳ”）、及び将来の５Ｇ通信システムなどの様々な通信システムに適用されることができる、ということが理解されるべきである。
【００６０】
本発明の実施例では、ユーザ装置は、同様に、端末装置（Terminal  Equipment）、移動局（Mobile  Station、略して“ＭＳ”）、移動端末（Mobile  Terminal）、又は同様のものと呼ばれ得る、ということが理解されるべきである。ユーザ装置は、無線アクセスネットワーク（Radio  Access  Network、略して“ＲＡＮ”）を使用することにより、１つ又は複数のコアネットワークと通信し得る。例えば、ユーザ装置は、携帯電話（若しくは“セルラ”電話と呼ばれる）、又は移動端末を備えたコンピュータであり得る。例えば、ユーザ装置は、携帯型、ポケット型、ハンドヘルド型、コンピュータ内蔵型、若しくは車載型の移動体装置、将来の５Ｇネットワークにおける端末装置、又は将来の進化したＰＬＭＮネットワークにおける端末装置であり得る。
【００６１】
本発明の実施例では、ネットワークデバイスは、ユーザ装置と通信するように構成されたデバイスであり得る、ということが更に理解されるべきである。ネットワークデバイスは、ＧＳＭシステム又はＣＤＭＡシステムにおけるベーストランシーバ基地局（Base  Transceiver  Station、略して“ＢＴＳ”）であり得るか、ＷＣＤＭＡシステムにおけるノードＢ（NodeB、略して“ＮＢ”）であり得るか、又はＬＴＥシステムにおける進化型ノードＢ（Evolved  Node  B、略して“ｅＮＢ”又は“ｅＮｏｄｅＢ”）であり得る。その代わりに、ネットワークデバイスは、中継局、アクセスポイント、車載型装置、ウェアラブルデバイス、将来の５Ｇネットワークにおけるネットワーク側デバイス、将来の進化したＰＬＭＮネットワークにおけるネットワークデバイス、又は同様のものであり得る。
【００６２】
図３は、本発明の一実施例によるアプリケーションシナリオの概略図である。図３において示されるように、基地局ｅＮＢの範囲内に複数のユーザ装置ＵＥが存在する。基地局は、複数のＵＥと無線通信を行う。ｅＮＢは、サービス要求、リソース、及びスケジューリング状態に従って、ＵＥ１及びＵＥ２のための異なる伝送モードをスケジューリングして、伝送性能及び効率を改善することができる。
【００６３】
図３において示されるシナリオには、１つの基地局（隔離された基地局）しかない場合が示されている、ということに注意が必要である。しかしながら、本発明はこれに限定されない。基地局は、同じ時間−周波数リソース上でサービスを伝送する隣接基地局及びユーザ装置を更に有し得る。
【００６４】
時間−周波数リソースは、一般的に、通信リソースであり得る、ということに注意が必要である。例えば、時間−周波数リソースは、時間次元及び周波数次元を有する通信リソースであり得る。本発明の実施例では、時間−周波数リソースの最小単位は限定されない。例えば、時間−周波数リソースの最小単位は、時間の観点から見たサブフレーム、フレーム、若しくはタイムスロットであり得るか、又は周波数の観点から見たサブバンド、全動作帯域、若しくはサブキャリアであり得る。時間−周波数次元は、リソースブロック（Resource  Block、略して“ＲＢ”）、リソース要素（Resource  Element、“ＲＥ”）、又は同様のものであり得る。
【００６５】
説明を容易にするために、本発明の実施例では、既存のＬＴＥシステムにおける１回の伝送により伝送リソースを占有する時間の伝送は、短縮されない時間遅延を有する伝送と呼ばれ、１ｍｓのサブフレームの全てのリソースが短縮されない時間遅延を有する伝送に使用されるサブフレームは、短縮されない時間遅延を有するサブフレームと呼ばれる、ということに注意が必要である。本発明の実施例では、第１の伝送は、ＬＴＥシステムにおける短縮されない時間遅延を有する伝送に関連する。本発明の実施例では、第１の伝送の１回の伝送により伝送リソースを占有する時間は１ｍｓ未満である。本発明の実施例における第１の伝送は、短縮された時間遅延を有する伝送（Shortened  Time  Delay  Transmission）と呼ばれ得る。１回の伝送（又は“単一伝送”と呼ばれる）は、ネットワークデバイス又はユーザ装置が、第１の伝送中に、１ｍｓのサブフレームにおいて実際に占有されたリソースで１回送信又は受信を実行することを意味する。１ｍｓサブフレーム全体の全てのリソースが短縮された時間遅延を有する伝送に使用されるサブフレーム、又は１ｍｓのサブフレーム全体の全ての物理ダウンリンク共有チャネル（Physical  Downlink  Shared  Channel、略して“ＰＤＳＣＨ”）リスースが短縮された時間遅延を有する伝送に使用されるサブフレームは、短縮された時間遅延を有するサブフレームと呼ばれ得る。しかしながら、本発明の保護範囲は、その名称に限定されない。
【００６６】
本発明の実施例における短縮された時間遅延を有するサブフレームは、既存のＬＴＥシステムにおける全てのサブフレームであり得る。好ましくは、本発明の実施例におけるサブフレームは、単一周波数ネットワークを介したマルチキャスト／ブロードキャスト（Multicast/Broadcast  over  Single  Frequency  Network、略して“ＭＢＳＦＮ”）サブフレームセット内の１つ又は複数のサブフレームである。周波数分割複信ＦＤＤモードでは、ＭＢＳＦＮサブフレームセットに含まれるサブフレームの番号は１、２、３、６、７、及び８であり、時分割複信ＴＤＤモードでは、ＭＢＳＦＮサブフレームセットに含まれるサブフレームの番号は３、４、７、８、及び９である。これは、短縮された時間遅延を有する伝送を実行しないユーザ装置が、短縮された時間遅延を有するサブフレーム上でデータを送信しないことを保証することができる。
【００６７】
本発明の実施例において、短縮された時間遅延を有するサブフレームが実際に使用される場合、２つのケースが含まれる。ケース１では、サブフレームにおいて、周波数領域にあって、かつ物理ダウンリンク制御チャネル（Physical  downlink  Control  Channel、略して“ＰＤＣＣＨ”）が配置される制御チャネルのシンボルを除いた別のシンボル上にある全てのリソースが、短縮された時間遅延を有する伝送に使用される。ケース２では、サブフレームにおいて、周波数領域にあって、かつＰＤＣＣＨが配置される制御チャネルのシンボルを除いた別のシンボル上にあるサブバンド又は帯域幅の一部が、短縮された時間遅延を有する伝送に使用される。ケース１では、サブフレームは、短縮された時間遅延を有する専用サブフレームと呼ばれ得る。ケース２では、サブフレームは、時間遅延が短縮されたサブバンドを有するサブフレームと呼ばれ得る。本発明の実施例における伝送の間に、いわゆる短縮された時間遅延を有するサブフレームのタイプは、上述のサブフレームのうちのいずれか１つであってもよいし、上述の２つのサブフレームの組み合わせであってもよい（すなわち、構成されたサブフレームでは、一部のサブフレームは、短縮された時間遅延を有する専用サブフレームであり、一部は、時間遅延が短縮されたサブバンドを有するサブフレームである）。
【００６８】
図４は、本発明の一実施例による無線通信方法の概略フローチャートである。方法は、ネットワークデバイスにより実行され得る。図４において示されるように、方法１０００は下記のステップを含む。
【００６９】
Ｓ１１００．ネットワークデバイスが、制御情報を生成し、ここで、制御情報は、ユーザ装置とネットワークデバイスとの間の第１の伝送のための時間領域リソースを指示するために使用される第１の指示情報を含み、第１の伝送の１回の伝送によってリソースを占有する持続時間は１ミリ秒未満である。
【００７０】
Ｓ１２００．ネットワークデバイスが、制御情報をユーザ装置に送信する。
【００７１】
具体的には、ネットワークデバイスは、ユーザ装置とネットワークデバイスとの間の第１の伝送のための時間領域リソースを指示するために使用される第１の指示情報を含む制御情報を生成するとともに、制御情報をユーザ装置に送信する。第１の伝送の１回の伝送によってリソースを占有する持続時間は１ｍｓ未満である。
【００７２】
したがって、本発明のこの実施例における無線通信方法によれば、ネットワークデバイスは、ユーザ装置とネットワークデバイスとの間の第１の伝送のための時間領域リソースを指示するために使用される第１の指示情報を含む制御情報をユーザ装置に送信する。ユーザ装置は、制御情報に従って、第１の伝送を使用することによりネットワークデバイスと通信するための時間領域リソースを取得し、取得された時間領域リソース上でネットワークデバイスと通信することができる。第１の伝送の１回の伝送によってリソースを占有する持続時間は１ｍｓ未満である。これは、通信処理における伝送時間遅延を低減し、ユーザエクスペリエンスを改善することができる。
【００７３】
任意に、Ｓ１１００において、制御情報は、下記の情報、すなわち、第１の伝送に対応するハイブリッド自動再送要求（ＨＡＲＱ）の処理番号を指示するために使用される識別情報か、又は、第１の伝送に対応する再伝送冗長バージョンを指示するために使用される第２の指示情報のうちの少なくとも１つを更に含む。
【００７４】
任意に、Ｓ１１００において、制御情報は、第１の伝送に関連する無線ネットワーク一時識別子（Radio  Network  Temporary  Identity、略して“ＲＮＴＩ”）を搬送する。ユーザ装置は、第１の送信に関連する無線ネットワーク一時識別子（ＲＮＴＩ）に従って、制御情報によって指示された時間領域リソースが第１の伝送に使用されるリソースであると判定し得る。
【００７５】
任意に、Ｓ１２００は、具体的には、第１のサブフレームにおける最初のＭ個の時間領域シンボルを使用することにより物理ダウンリンク制御チャネル（ＰＤＣＣＨ）情報をユーザ装置に送信するステップであって、ＰＤＣＣＨ情報が制御情報を含み、Ｍが正の整数であり、第１のサブフレームに含まれる時間領域シンボル内の最初のＭ個の時間領域シンボルを除く他の時間領域シンボルが複数のユーザ装置に割り当てられる、ステップである。
【００７６】
すなわち、図５において示されるように、ネットワークデバイスは、制御情報をＰＤＣＣＨチャネルに追加し得る。各１ｍｓのサブフレームには、制御情報を搬送するＰＤＣＣＨシグナリングにより占有されるシンボルが含まれるとともに、残りのシンボルは、少なくとも２つのユーザ装置ＵＥに割り当てられ、短縮された時間遅延を有する伝送を実行する。例えば、図５において、斜線で塗りつぶされた部分はＵＥ１に割り当てられ、垂直線で塗りつぶされた部分はＵＥ２に割り当てられ、そしてドットで塗りつぶされた部分はＵＥ３に割り当てられ得る。しかし、本発明はこれに限定されない。
【００７７】
従来技術では、時間領域リソースを割り当てる場合、ネットワークデバイスは、１ｍｓサブフレーム全体に含まれる全ての非ＰＤＣＣＨシンボルをユーザ装置に割り当て、時間領域におけるリソース占有時間が長すぎる。その結果、データ受信時に、ユーザ装置は、データ受信を完了することに１ｍｓの対応する時間を費やす必要があり、その結果、ユーザ装置の処理時間に影響を及ぼす。本発明のこの実施例では、サブフレーム内の全ての非ＰＤＣＣＨシンボルは、複数のユーザ装置に割り当てられ得るとともに、複数のユーザ装置は、割り当てられたシンボルのシステム帯域幅の全てを占有し得るか、又はシステム帯域幅全体（サブキャリア又はサブバンド）の一部を占有し得る。これは、ユーザ装置によるデータ受信時間を短縮し、ユーザ装置の処理速度を増加させる。
【００７８】
任意に、Ｓ１２００は、具体的には、第２のサブフレームにおけるＮ個の時間領域シンボルを使用することにより物理ダウンリンク共有チャネル（ＰＤＳＣＨ）をユーザ装置に送信するステップであって、Ｎ個の時間領域シンボルの最初のＫ個の時間領域シンボルが制御情報を搬送し、Ｎ及びＫが正の整数である、ステップである。
【００７９】
すなわち、図６において示されるように、制御情報は、１ｍｓのサブフレーム内のＰＤＳＣＨ領域において、ＰＤＣＣＨシンボルを除いたいくつかのシンボルの帯域幅の全部又は一部を占有し得る。ユーザ装置が検出を実行するときの複雑さを低減するために、制御情報により占有されるシンボルと、制御情報により占有されるサブバンドの周波数領域内の位置は、事前に定義されているか、又はシグナリングを使用することにより、ネットワークデバイスによってユーザ装置に指示される。これは、本発明においては限定されない。
【００８０】
任意に、Ｓ１１００において、第１の指示情報は、第１のサブフレーム内にあって、かつ時間領域リソースによって占有される時間領域シンボルを指示するとともに、第１の指示情報によって指示される時間領域シンボルは、ＰＤＣＣＨ情報によって占有される時間領域シンボルを含まない。
【００８１】
例えば、ＰＤＣＣＨ情報により占有されるシンボルは、一般に、サブフレーム内の最初の１〜４個のダウンリンクシンボルである。したがって、実際にＰＤＣＣＨ情報により占有されるシンボルの数をＬＤＣＩと仮定すると、異なるＵＥにより占有されるシンボルの位置は、ＬＤＣＩ個のシンボルを除いたシンボルにより指示される。例えば、サブフレームが合計でＬ個のダウンリンクＯＦＤＭシンボルを有する場合（ＬＴＥシステムでは、通常の（normal）サブフレームでＬ＝１４、拡張（extended）サブフレームでＬ＝１２である）、短縮された時間遅延を指示する位置は、Ｌ−ＬＤＣＩ個のシンボルで指示される。指示のためにビットマップ方式が使用され得る。例えば、ＬＤＣＩは３つのシンボルを占有する（すなわち、シンボル０、シンボル１、及びシンボル２の合計３つのＯＦＤＭシンボルを占有する）。短縮された時間遅延を有する合計３つの異なるユーザ装置がサブフレームにおいてサポートされ、３つのＵＥがそれぞれＵＥ１からＵＥ３まで番号付けされていると仮定すると、サブフレーム内の３つのＵＥに対する指示シグナリングは下記の通りである。
ＵＥ１：１１１１０００００００、ＰＤＣＣＨシンボルの後に４つの連続するシンボルがＵＥ１に割り当てられ、すなわち、サブフレームにおいて３から６まで番号が付けられた４つのシンボルがＵＥ１に割り当てられることを示す（サブフレーム内のシンボルの番号は０から始まる）。
ＵＥ２：００００１１１１０００、サブフレームにおいて７から１０まで番号が付けられた４つのシンボルがＵＥ２に割り当てられることを示す（サブフレーム内のシンボルの番号は０から始まる）。
ＵＥ３：００００００００１１１、サブフレームにおいて１１から１３まで番号が付けられた３つのシンボルがＵＥ３に割り当てられることを示す（サブフレーム内のシンボルの番号は０から始まる）。
【００８２】
任意に、Ｓ１１００において、第１の指示情報は、第２のサブフレーム内にあって、かつ時間領域リソースによって占有される時間領域シンボルを指示するとともに、第１の指示情報によって指示される時間領域シンボルは、ＰＤＣＣＨによって占有される複数の時間領域シンボル又は最初のＫ個の時間領域シンボルを含まない。
【００８３】
すなわち、異なるＵＥに対して短縮された時間遅延を有する伝送を指示するシグナリングが、短縮された時間遅延を有する伝送のために占有されたダウンリンクＯＦＤＭシンボルが更に除外された後に取得される位置において指示され、すなわち、Ｌ−ＬＤＣＩ−ＬｓＤＣＩにおいて指示される。ＬＤＣＩは、従来技術においてダウンリンク制御情報（Downlink  Control  Information、略して“ＤＣＩ”）を伝送するために使用されるシンボルの数である。すなわち、短縮された時間遅延を有する伝送のためのリソースを指示する位置は、ＤＣＩにより占有されるシンボルの数及び／又は制御情報により占有される時間領域シンボルの数に従って判定される。
【００８４】
任意に、Ｓ１１００において、第１の指示情報は、サブフレーム内にあって、かつ時間領域リソースによって占有される時間領域シンボルに対応する時間領域シンボルセットを指示する。
【００８５】
具体的には、アップリンク及びダウンリンクにおいて短縮された時間遅延を有するサブフレームを分割する解決法は、シグナリングを使用することにより事前に通知され得るか、又は事前に定義され得る。次に、制御情報内の第１の指示情報を使用して、時間領域リソースがどの部分に属するかを指示する。例えば、アップリンクの場合、アップリンクトラフィックチャネル上の伝送に使用されるシンボルは、事前に定義され得るか、又はシグナリングを使用することにより通知され得る。例えば、サブフレーム内のシンボルは、表１又は表２において示される分割方法に従って分割され得る。第１の指示情報は、シンボルに対応するセットの番号を直接的に指示し得る。本発明では、セットの分割方法は限定されない。
【００８６】
【表１】
2020092426.tif 000003
【００８７】
【表２】
2020092426.tif 000004
【００８８】
要約すると、Ｌ個のシンボルの全て又は一部は、Ｋ個の部分に分割され得るとともに、このような分割は、事前に定義されるか、又はシグナリングを使用することにより通知される。次に、第１の指示情報は、より小さいシグナリングを使用することにより、短縮された時間遅延を有する伝送のために、現在のＵＥのリソースが属する部分を指示することだけを必要とする。このようにして、シグナリングが節約されることができる。
【００８９】
ダウンリンクについては、分割がシグナリングを使用することにより指示されるか、又は事前に定義されている場合に、ＤＣＩにより占有されるシンボル及び／又は制御情報により占有され得るシンボルは除外される必要があるとともに、その場合に、残りのシンボルの分割は、シグナリングを使用することにより指示されるか、又は事前に定義される。
【００９０】
本発明のこの実施例では、任意に、ネットワークデバイスは、短縮された時間遅延を有する伝送のために各ＵＥのリソースにより占有されるとともに、ダウンリンクサブフレーム及び／又はアップリンクサブフレームにあるリソース位置を、暗黙のうちに指示することができる。例えば、時間領域及び／又は周波数領域における位置は、短縮された時間遅延を有するデータを、対応する受信ＵＥにより受信及び／又は送信するサブフレーム内の位置を指示するために使用され得る。例えば、周波数領域帯域幅は３つの部分に分割され、制御情報が周波数帯域ｉにある場合、短縮された時間遅延を有する対応するデータの受信／送信はｉ番目の部分にある。さらに、必要に応じて、占有されたシンボルの数のみが制御情報において指示される必要がある。短縮された時間遅延に基づくとともに、サブフレームにおいてサポートされることができる時間領域分割が、定義されているか、又は上位レイヤシグナリングを使用して通知されている場合は、占有されたシンボルの数が指示される必要はない。
【００９１】
したがって、本発明のこの実施例における無線通信方法によれば、ネットワークデバイスは、ユーザ装置とネットワークデバイスとの間の第１の伝送のための時間領域リソースを指示するために使用される第１の指示情報を含む制御情報をユーザ装置に送信する。ユーザ装置は、制御情報に従って、第１の伝送を使用することによりネットワークデバイスと通信するための時間領域リソースを取得し、取得された時間領域リソース上でネットワークデバイスと通信することができる。第１の伝送の１回の伝送によってリソースを占有する持続時間は１ｍｓ未満である。これは、通信処理における伝送時間遅延を低減し、ユーザエクスペリエンスを改善することができる。
【００９２】
上記は、本発明の実施例における無線通信方法を、図４〜図６を参照して、ネットワークデバイス側から詳細に説明する。下記は、本発明の別の実施例における無線通信方法を、図７を参照して、ユーザ装置側から詳細に説明する。ネットワークデバイス側から説明されたユーザ装置とネットワークデバイスとの間の対話、関連する特性や機能などは、ユーザ装置側からの説明に対応する、ということが理解されるべきである。簡潔にするために、繰り返しの説明は適切に省略される。
【００９３】
図７は、本発明の別の実施例による無線通信方法の概略フローチャートである。方法は、ユーザ装置により実行され得る。図７において示されるように、方法２０００は下記のステップを含む。
【００９４】
Ｓ２１００．ユーザ装置が、ネットワークデバイスによって送信された制御情報を受信し、ここで、制御情報は、ユーザ装置とネットワークデバイスとの間の第１の伝送のための時間領域リソースを指示するために使用される第１の指示情報を含み、第１の伝送の１回の伝送によってリソースを占有する持続時間は１ミリ秒未満である。
【００９５】
Ｓ２２００．ユーザ装置が、制御情報に従ってネットワークデバイスと通信する。
【００９６】
具体的には、ユーザ装置は、ネットワークデバイスによって送信された制御情報を受信し、制御情報に従ってネットワークデバイスと通信する。制御情報は、ユーザ装置とネットワークデバイスとの間の第１の伝送のための時間領域リソースを指示するために使用される第１の指示情報を含む。したがって、ユーザ装置は、制御情報に従って、ネットワークデバイスによって送信されたダウンリンクデータを、第１の伝送を使用することにより受信し得るとともに、ユーザ装置は、同様に、制御情報に従って、アップリンクデータを、第１の伝送を使用することによりネットワークデバイスに送信し得る。第１の伝送の１回の伝送によってリソースを占有する持続時間は１ｍｓ未満である。
【００９７】
したがって、本発明のこの実施例における無線通信方法によれば、ユーザ装置は、ネットワークデバイスによって送信された制御情報を受信する。制御情報は、ユーザ装置とネットワークデバイスとの間の第１の伝送のための時間領域リソースを指示するために使用される第１の指示情報を含む。したがって、ユーザ装置は、第１の伝送を使用することによりネットワークデバイスと通信することができる。これは、通信処理における伝送時間遅延を低減し、ユーザエクスペリエンスを改善することができる。
【００９８】
任意に、Ｓ２１００において、制御情報は、第１の伝送に関連する無線ネットワーク一時識別子（ＲＮＴＩ）を搬送する。
【００９９】
任意に、Ｓ２１００は、具体的には、第１のサブフレームにおける最初のＭ個の時間領域シンボル上で、ネットワークデバイスによって送信された物理ダウンリンク制御チャネル（ＰＤＣＣＨ）情報を受信するステップであって、ＰＤＣＣＨ情報が制御情報を含み、Ｍが正の整数であり、第１のサブフレームに含まれる時間領域シンボル内の最初のＭ個の時間領域シンボルを除く他の時間領域シンボルが複数のユーザ装置に割り当てられる、ステップである。
【０１００】
任意に、Ｓ２１００は、具体的には、第２のサブフレームにおけるＮ個の時間領域シンボル上で、ネットワークデバイスによって送信された物理ダウンリンク共有チャネル（ＰＤＳＣＨ）を受信するステップであって、Ｎ個の時間領域シンボルの最初のＫ個の時間領域シンボルが制御情報を搬送し、Ｎ及びＫが正の整数である、ステップである。
【０１０１】
任意に、Ｓ２１００において、第１の指示情報は、第１のサブフレーム内にあって、かつ時間領域リソースによって占有される時間領域シンボルを指示するとともに、第１の指示情報によって指示される時間領域シンボルは、ＰＤＣＣＨ情報によって占有される時間領域シンボルを含まない。
【０１０２】
任意に、Ｓ２１００において、第１の指示情報は、第２のサブフレーム内にあって、かつ時間領域リソースによって占有される時間領域シンボルを指示するとともに、第１の指示情報によって指示される時間領域シンボルは、ＰＤＣＣＨによって占有される時間領域シンボル又は最初のＫ個の時間領域シンボルを含まない。
【０１０３】
任意に、Ｓ２１００において、第１の指示情報は、サブフレーム内にあって、かつ時間領域リソースによって占有される時間領域シンボルに対応する時間領域シンボルセットを指示する。
【０１０４】
任意に、Ｓ２１００において、制御情報は、下記の情報、すなわち、第１の伝送に対応するハイブリッド自動再送要求（ＨＡＲＱ）の処理番号を指示するために使用される識別情報か、又は、第１の伝送に対応する再伝送冗長バージョンを指示するために使用される第２の指示情報のうちの少なくとも１つを更に含む。
【０１０５】
したがって、本発明のこの実施例における無線通信方法によれば、ユーザ装置は、ネットワークデバイスによって送信された制御情報を受信する。制御情報は、ユーザ装置とネットワークデバイスとの間の第１の伝送のための時間領域リソースを指示するために使用される第１の指示情報を含む。したがって、ユーザ装置は、第１の伝送を使用することによりネットワークデバイスと通信することができる。これは、通信処理における伝送時間遅延を低減し、ユーザエクスペリエンスを改善することができる。
【０１０６】
下記は、図８を参照して、本発明の更に他の実施例における無線通信方法を詳細に説明する。方法は、ネットワークデバイスにより実行され得る。図８において示されるように、方法３０００は下記のステップを含む。
【０１０７】
Ｓ３１００．ネットワークデバイスが、アップリンク伝送リソース指示情報をユーザ装置に送信する。
【０１０８】
Ｓ３２００．ネットワークデバイスが、アップリンク伝送リソースに含まれる少なくとも２つの独立したサブ伝送リソースでユーザ装置によって送信されたデータパケットを受信し、ここで、アップリンク伝送リソースは、アップリンク伝送リソース指示情報に従ってユーザ装置によって判定され、少なくとも２つの独立したサブ伝送リソースの各々の時間領域における粒度は、事前に設定されたシンボル量である。
【０１０９】
具体的には、アップリンク伝送リソース指示情報をユーザ装置に送信した後に、ネットワークデバイスは、アップリンク伝送リソース指示情報に従って判定されたアップリンク伝送リソースに含まれる少なくとも２つの独立したサブ伝送リソース上で、ユーザ装置によって送信されたデータパケットを受信する。独立したサブ伝送リソースの各々の時間領域における粒度は、事前に設定されたシンボル量である。
【０１１０】
したがって、本発明のこの実施例における無線通信方法によれば、ネットワークデバイスは、アップリンク伝送リソース指示情報をユーザ装置に送信するとともに、アップリンク伝送リソース指示情報に従って判定されたアップリンク伝送リソースに含まれる少なくとも２つの独立したサブ伝送リソース上で、ユーザ装置によって送信されたデータパケットを受信する。これは、短縮された時間遅延を有する伝送をサポートするユーザ装置のアップリンクカバレッジが制限される場合のリソース使用の問題を解決することができ、伝送時間遅延を大幅に増加させない。
【０１１１】
任意に、従来技術における送信時間間隔（Transmission  Time  Interval、略して“ＴＴＩ”）バインディング技術では、各独立したサブ伝送リソースの粒度はサブフレームである。並べて見ると、本発明において、各独立したサブ伝送リソースの時間領域における粒度は、１シンボル、２シンボル、３シンボル、４シンボル、又は同様のものであり得る。したがって、本発明のこの実施例における方法によれば、リソース割り当て方法がより柔軟であり、処理時間遅延がより短くなり、それによって伝送時間遅延を削減し、ユーザエクスペリエンスとネットワーク性能を改善する。
【０１１２】
本発明のこの実施例における方法は、同様に、ダウンリンク伝送に適用されることができる、ということが理解されるべきである。この場合には、ネットワークデバイスは、ユーザ装置のダウンリンク伝送リソースを指示するダウンリンク伝送リソース指示情報をユーザ装置に送信する。ユーザ装置は、ダウンリンク伝送リソース指示情報に従って、ダウンリンクデータを受信するための伝送リソースを判定し、ダウンリンクデータを受信するための伝送リソースは、少なくとも２つの独立したサブ伝送リソースを含み、少なくとも２つの独立したサブ伝送リソースの時間領域における粒度は、事前に設定されたシンボル量であり、ユーザ装置は、それぞれの独立したサブ伝送リソースを使用することによりネットワークデバイスによって送信されたダウンリンクデータを受信するとともに、ネットワークデバイスによって送信された全てのダウンリンクデータを受信した後に、ユーザ装置はフィードバック情報をネットワークデバイスに送信する。
【０１１３】
Ｓ３２００において、少なくとも２つの独立したサブ伝送リソース上で送信されたデータパケットは、同じデータパケットの異なる再伝送ＲＶ（既存のＬＴＥプロトコルにおけるＩＲ（Incremental  Redundancy、インクリメンタルリダンダンシ、略して“ＩＲ”）再伝送に対応する）であり得るか、又は同じデータパケットの同じコピーであり得る（すなわち、各再伝送されたパケットで送信されるコンテンツは、既存のＬＴＥプロトコルにおけるＣＣ（Chase  Combining、チェイス合成法、略して“ＣＣ”）再伝送に対応し、完全に同一である）、ということが理解されるべきである。本発明のこの実施例では、任意に、時間領域において、アップリンク伝送リソースを占有する時間は１ｍｓより大きい。この場合、少なくとも２つの独立したサブ伝送リソースは、複数の連続するサブフレームに分散され得る。
【０１１４】
任意に、Ｓ３１００において、アップリンク伝送リソース指示情報は、下記の情報、すなわち、少なくとも２つの独立したサブ伝送リソースの割り当てタイプ情報か、少なくとも２つの独立したサブ伝送リソースの各々に対応するサブフレーム番号情報か、又は、サブフレーム内にあって、かつ少なくとも２つの独立したサブ伝送リソースの各々に対応する時間領域シンボル及び周波数領域位置情報のうちの少なくとも１つを含む。本明細書において、割り当てタイプ情報は、連続的なリソース割り当て又は不連続なリソース割り当てを指示する。連続的なリソース割り当ては、全ての送信対象データ及びデータの再伝送ＲＶが完全に送信されるまで、ＰＤＣＣＨにより占有されるリソースを除いた複数の連続するサブフレームの全ての非ＰＤＣＣＨリソースが割り当てられることを意味する。図９（ａ）は、連続的なリソース割り当ての実施例である。送信対象データの場合、第１のサブフレームのいくらかの非ＰＤＣＣＨリソースが最初に割り当てられ、次に、次のサブフレームの短縮された時間遅延を有するリソースが占有される。不連続なリソース割り当ては、全ての送信対象データ及びデータの再伝送ＲＶが完全に送信されるまで、ＰＤＣＣＨにより占有されるリソースを除いた複数の連続するサブフレームの一部の非ＰＤＣＣＨリソースが割り当てられることを意味する。図９（ｂ）は、不連続なリソース割り当ての実施例である。送信対象データは、毎回一部の非ＰＤＣＣＨリソースのみを占有するとともに、３つのサブフレームが連続して占有される。
【０１１５】
任意に、Ｓ３１００において、アップリンク伝送リソース指示情報は、アップリンク伝送リソースが、第１のサブフレームにおける、物理ダウンリンク制御チャネル（ＰＤＣＣＨ）によって占有されるリソースを除く残りのリソースの全部又は一部であることを指示する。
【０１１６】
例えば、図１０（ａ）において示されるように、ネットワークデバイスは、サブフレームにおいて、使用するべき短縮されたアップリンク時間遅延を有するＵＥに対して、制御シグナリングＤＣＩを除く短縮された時間遅延を有する複数のリソースを、バインディングとして割り当て得る。同様に、再伝送に使用されるＲＶのバージョン番号は、例えば、［０、２、３、１］のように事前に定義され得る。再伝送のための時間領域リソースが４回を超える場合、事前に定義されたテンプレートが反復のために使用され得る。再伝送の回数が６回の場合、６回に対応するＲＶのバージョンは［０、２、３、１、０、２］となる。後続のフィードバックは、１つのバインドされた伝送に対するフィードバックである。
【０１１７】
さらに、バインドされる必要がある時間領域伝送リソースが１ｍｓサブフレーム内で提供される最大リソースよりも小さい場合、時間領域伝送リソースの一部のみが使用され得る。図１０（ｂ）において示されるように、短縮された時間遅延を有する伝送用の２つのリソースのみが使用される。残りの１つのリソースは、短縮された時間遅延を有する伝送のためにＵＥ２に割り当てられてもよい。
【０１１８】
任意に、Ｓ３１００において、アップリンク伝送リソース指示情報は、アップリンク伝送リソースが、Ｍ個の連続するサブフレームの各サブフレームにおける、ＰＤＣＣＨによって占有されるリソースを除く残りのリソースの一部を含み、Ｍが２以上の整数であることを指示する。
【０１１９】
その代わりに、アップリンク伝送リソース指示情報は、アップリンク伝送リソースが、Ｎ個の連続するサブフレームのうちの最初のＫ個のサブフレームの各サブフレームにおける、ＰＤＣＣＨによって占有されるリソースを除く残りのリソース、及び、Ｎ個の連続するサブフレームのうちの最後のＮ−Ｋ個のサブフレームの各サブフレームにおける、ＰＤＣＣＨによって占有されるリソースを除く残りのリソースの一部を含み、Ｎ及びＫが１以上の整数であることを指示する。例えば、図９（ａ）において、Ｎの値は２であり、Ｋの値は１である。Ｎの値は、データパケットを最初に伝送し、データパケットを再伝送するために占有された時間領域シンボルの総数に対応するサブフレーム量である、ということに注意が必要である。
【０１２０】
例えば、バインドされる必要がある時間領域の伝送リソースが１ｍｓのサブフレームにおいて提供される最大のリソースより大きい場合、複数の連続するサブフレームのうちの１つより多いサブフレームにおいて提供されるリソースが、使用するべきＵＥに割り当てられ得る。図９（ａ）において示されるように、第１のサブフレームにおける、短縮された時間遅延を有する伝送のための全ての３つのリソース、及び次の隣接するサブフレーム（短縮された時間遅延を有する伝送に使用され得るサブフレーム）における、短縮された時間遅延を有する伝送のための１つのリソースが使用される。
【０１２１】
したがって、本発明のこの実施例における無線通信方法によれば、使用するべき短縮されたアップリンク時間遅延を有するＵＥに、短縮された時間遅延を有する少なくとも２つの独立した時間−周波数リソースを連続的に割り当てる上述の方法において、リソース割り当てはより柔軟であり、制限されたカバレッジを有するＵＥのリソース使用が、好ましくは保証されることができる。さらに、従来技術のリソース割り当て方法と比較して、この方法は、より柔軟であり、より短い処理時間遅延を有する。
【０１２２】
さらに、短縮された時間遅延を有する伝送のためのリソースバインディング方法は、分散され得る。図１０（ｂ）において示されるように、リソースは、短縮された時間遅延を有する複数の連続した利用可能なサブフレームに割り当てられ得る。例えば、１つの利用可能なリソースがサブフレーム０に割り当てられ、第２のリソースがサブフレーム２に割り当てられ、第３のリソースがサブフレーム３に割り当てられる。さらに、サブフレームに割り当てられるリソースの量は、同じであり得るか、又は異なり得るとともに、１つ又は複数のリソースがあり得る。
【０１２３】
したがって、本発明のこの実施例における無線通信方法によれば、バインドされた伝送が、短縮された時間遅延を有するサブフレームとともに実行される必要がある、ＵＥのアップリンク送信時間遅延は適切に増加するが、しかし、短縮された時間遅延を有する伝送のために、１つのサブフレームにおける全てのリソースが占有されているわけではないので、短縮された時間遅延を有する別のＵＥの送信に対する影響が低減され、その結果、短縮された時間遅延を有する別のＵＥのＨＡＲＱ処理への影響が低減される。
【０１２４】
上記は、本発明の更に別の実施例における無線通信方法を、図８〜図１０を参照して、ネットワークデバイス側から詳細に説明する。下記は、本発明の更に別の実施例における無線通信方法を、図１１を参照して、ユーザ装置側から詳細に説明する。ネットワークデバイス側から説明されたユーザ装置とネットワークデバイスとの間の対話、関連する特性や機能などは、ユーザ装置側からの説明に対応する、ということが理解されるべきである。簡潔にするために、繰り返しの説明は適切に省略される。
【０１２５】
図１１は、本発明の更に別の実施例による無線通信方法を示す。方法は、ユーザ装置により実行され得る。図１１において示されるように、方法４０００は下記のステップを含む。
【０１２６】
Ｓ４１００．ユーザ装置が、ネットワークデバイスによって送信されたアップリンク伝送リソース指示情報を受信する。
【０１２７】
Ｓ４２００．ユーザ装置が、アップリンク伝送リソース指示情報に従ってアップリンク伝送リソースを判定し、ここで、アップリンク伝送リソースは、少なくとも２つの独立したサブ伝送リソースを含み、少なくとも２つの独立したサブ伝送リソースの各々の時間領域における粒度は、事前に設定されたシンボル量である。
【０１２８】
Ｓ４３００．ユーザ装置は、少なくとも２つの独立したサブ伝送リソース上でネットワークデバイスにデータパケットを送信する。
【０１２９】
具体的には、ネットワークデバイスによって送信されたアップリンク伝送リソース指示情報を受信した後に、ユーザ装置は、アップリンク伝送リソース指示情報に従って判定されたアップリンク伝送リソースに含まれる少なくとも２つの独立したサブ伝送リソース上でネットワークデバイスにデータパケットを送信する。独立したサブ伝送リソースの各々の時間領域における粒度は、事前に設定されたシンボル量である。
【０１３０】
したがって、本発明のこの実施例における無線通信方法によれば、ユーザ装置は、ネットワークデバイスによって送信されたアップリンク伝送リソース指示情報を受信するとともに、アップリンク伝送リソース指示情報に従って判定されたアップリンク伝送リソースに含まれる少なくとも２つの独立したサブ伝送リソース上でネットワークデバイスにデータパケットを送信する。これは、短縮された時間遅延を有する伝送をサポートするユーザ装置のアップリンクカバレッジが制限される場合のリソース使用の問題を解決することができ、伝送時間遅延を大幅に増加させない。
【０１３１】
任意に、Ｓ４１００において、アップリンク伝送リソース指示情報は、下記の情報、すなわち、少なくとも２つの独立したサブ伝送リソースの割り当てタイプ情報か、少なくとも２つの独立したサブ伝送リソースの各々に対応するサブフレーム番号情報か、又は、サブフレーム内にあって、かつ少なくとも２つの独立したサブ伝送リソースの各々に対応する時間領域シンボル及び周波数領域位置情報のうちの少なくとも１つを含む。
【０１３２】
任意に、Ｓ４１００において、アップリンク伝送リソース指示情報は、アップリンク伝送リソースが、第１のサブフレームにおける、物理ダウンリンク制御チャネル（ＰＤＣＣＨ）によって占有されるリソースを除く残りのリソースの全部又は一部であることを指示する。
【０１３３】
任意に、Ｓ４１００において、アップリンク伝送リソース指示情報は、アップリンク伝送リソースが、Ｍ個の連続するサブフレームの各サブフレームにおける、ＰＤＣＣＨによって占有されるリソースを除く残りのリソースの一部を含み、Ｍが２以上の整数であることを指示する。
【０１３４】
その代わりに、アップリンク伝送リソース指示情報は、アップリンク伝送リソースが、Ｎ個の連続するサブフレームのうちの最初のＫ個のサブフレームの各サブフレームにおける、ＰＤＣＣＨによって占有されるリソースを除く残りのリソース、及び、Ｎ個の連続するサブフレームのうちの最後のＮ−Ｋ個のサブフレームの各サブフレームにおける、ＰＤＣＣＨによって占有されるリソースを除く残りのリソースの一部を含み、Ｎ及びＫが１以上の整数であることを指示する。Ｎの値は、最初にデータパケットを伝送するとともに、データパケットを再伝送するために占有された時間領域シンボルの総数に対応するサブフレーム量である、ということに注意が必要である。
【０１３５】
任意に、Ｓ４３００において、少なくとも２つの独立したサブ伝送リソースにより時間領域において占有されるシンボルの数は、１、２、又は同様のものであり得る。これは、本発明においては限定されない。さらに、各独立したサブ伝送リソースにより占有されるシンボルは、同じサブフレームにおける連続するシンボルであり得るか、同じサブフレームにおける非連続のシンボルであり得るか、又は異なるサブフレームにおけるシンボルであり得る。これは、本発明においては限定されない。
【０１３６】
したがって、本発明のこの実施例における無線通信方法によれば、ユーザ装置は、ネットワークデバイスによって送信されたアップリンク伝送リソース指示情報を受信するとともに、アップリンク伝送リソース指示情報に従って判定されたアップリンク伝送リソースに含まれる少なくとも２つの独立したサブ伝送リソース上でネットワークデバイスにデータパケットを送信する。これは、短縮された時間遅延を有する伝送をサポートするユーザ装置のアップリンクカバレッジが制限される場合のリソース使用の問題を解決することができ、伝送時間遅延を大幅に増加させない。
【０１３７】
下記は、図１２を参照して、本発明の実施例におけるネットワークデバイスを具体的に説明する。図１２において示されるように、ネットワークデバイス１０は、制御情報を生成するように構成された情報生成モジュール１１であって、制御情報が、ユーザ装置とネットワークデバイスとの間の第１の伝送のための時間領域リソースを指示するために使用される第１の指示情報を含み、第１の伝送の１回の伝送によってリソースを占有する持続時間が１ミリ秒未満である、情報生成モジュール１１と、制御情報をユーザ装置に送信するように構成された送信モジュール１２とを含む。
【０１３８】
具体的には、ネットワークデバイスは、ユーザ装置とネットワークデバイスとの間の第１の伝送のための時間領域リソースを指示するために使用される第１の指示情報を含む制御情報を生成するとともに、制御情報をユーザ装置に送信する。第１の伝送の１回の伝送によってリソースを占有する持続時間は１ｍｓ未満である。
【０１３９】
したがって、本発明のこの実施例によるネットワークデバイスは、ユーザ装置に、ユーザ装置とネットワークデバイスとの間の第１の伝送のための時間領域リソースを指示するために使用される第１の指示情報を含む制御情報を送信する。ユーザ装置は、制御情報に従って、第１の伝送を使用することによりネットワークデバイスと通信するための時間領域リソースを取得し、取得された時間領域リソース上でネットワークデバイスと通信することができる。第１の伝送の１回の伝送によってリソースを占有する持続時間は１ｍｓ未満である。これは、通信処理における伝送時間遅延を低減し、ユーザエクスペリエンスを改善することができる。
【０１４０】
本発明のこの実施例では、送信モジュール１２により実行される送信動作は、送信機能を有するトランシーバモジュールにより実行され得る、ということが理解されるべきである。
【０１４１】
本発明のこの実施例では、任意に、制御情報は、第１の伝送に関連する無線ネットワーク一時識別子（ＲＮＴＩ）を搬送する。
【０１４２】
本発明のこの実施例では、任意に、送信モジュール１２が制御情報をユーザ装置に送信することは、第１のサブフレームにおける最初のＭ個の時間領域シンボルを使用することにより物理ダウンリンク制御チャネル（ＰＤＣＣＨ）情報をユーザ装置に送信することであって、ＰＤＣＣＨ情報が制御情報を含み、Ｍが正の整数であり、第１のサブフレームに含まれる時間領域シンボル内の最初のＭ個の時間領域シンボルを除く他の時間領域シンボルが複数のユーザ装置に割り当てられる、送信することを含む。
【０１４３】
本発明のこの実施例では、任意に、送信モジュール１２が制御情報をユーザ装置に送信することは、第２のサブフレームにおけるＮ個の時間領域シンボルを使用することにより物理ダウンリンク共有チャネル（ＰＤＳＣＨ）をユーザ装置に送信することであって、Ｎ個の時間領域シンボルの最初のＫ個の時間領域シンボルが制御情報を搬送し、Ｎ及びＫが正の整数である、送信することを含む。
【０１４４】
本発明のこの実施例では、任意に、第１の指示情報は、第１のサブフレーム内にあって、かつ時間領域リソースによって占有される時間領域シンボルを指示するとともに、第１の指示情報によって指示される時間領域シンボルは、ＰＤＣＣＨ情報によって占有される時間領域シンボルを含まない。
【０１４５】
本発明のこの実施例では、任意に、第１の指示情報は、第２のサブフレーム内にあって、かつ時間領域リソースによって占有される時間領域シンボルを指示するとともに、第１の指示情報によって指示される時間領域シンボルは、ＰＤＣＣＨによって占有される時間領域シンボル又は最初のＫ個の時間領域シンボルを含まない。
【０１４６】
本発明のこの実施例では、任意に、第１の指示情報は、サブフレーム内にあって、かつ時間領域リソースによって占有される時間領域シンボルに対応する時間領域シンボルセットを指示する。
【０１４７】
本発明のこの実施例では、任意に、制御情報は、下記の情報、すなわち、第１の伝送に対応するハイブリッド自動再送要求（ＨＡＲＱ）の処理番号を指示するために使用される識別情報か、又は、第１の伝送に対応する再伝送冗長バージョンを指示するために使用される第２の指示情報のうちの少なくとも１つを更に含む。
【０１４８】
本発明のこの実施例によるネットワークデバイス１０は、本発明の実施例における無線通信方法１０００を対応して実行し得る、ということが理解されるべきである。さらに、ネットワークデバイス１０におけるモジュールの上述の並びに他の動作及び／又は機能は、図４における対応する処理を実現することを目的とする。簡潔にするために、詳細はここでは再度説明されない。
【０１４９】
したがって、本発明のこの実施例によるネットワークデバイスは、ユーザ装置に、ユーザ装置とネットワークデバイスとの間の第１の伝送のための時間領域リソースを指示するために使用される第１の指示情報を含む制御情報を送信する。ユーザ装置は、制御情報に従って、第１の伝送を使用することによりネットワークデバイスと通信するための時間領域リソースを取得し、取得された時間領域リソース上でネットワークデバイスと通信することができる。第１の伝送の１回の伝送によってリソースを占有する持続時間は１ｍｓ未満である。これは、通信処理における伝送時間遅延を低減し、ユーザエクスペリエンスを改善することができる。
【０１５０】
下記は、図１３を参照して、本発明の一実施例におけるユーザ装置を詳細に説明する。図１３において示されるように、ユーザ装置２０は、ネットワークデバイスによって送信された制御情報を受信するように構成されたトランシーバモジュール２１であって、制御情報が、ユーザ装置とネットワークデバイスとの間の第１の伝送のための時間領域リソースを指示するために使用される第１の指示情報を含み、第１の伝送の１回の伝送によってリソースを占有する持続時間が１ミリ秒未満である、トランシーバモジュール２１と、制御情報に従ってネットワークデバイスと通信するようにトランシーバモジュール２１を制御するように構成された処理モジュール２２とを含む。
【０１５１】
具体的には、ユーザ装置は、ネットワークデバイスによって送信された制御情報を受信し、制御情報に従ってネットワークデバイスと通信する。制御情報は、ユーザ装置とネットワークデバイスとの間の第１の伝送のための時間領域リソースを指示するために使用される第１の指示情報を含む。したがって、ユーザ装置は、制御情報に従って、ネットワークデバイスによって送信されたダウンリンクデータを、第１の伝送を使用することにより受信し得るとともに、ユーザ装置は、同様に、制御情報に従って、アップリンクデータを、第１の伝送を使用することによりネットワークデバイスに送信し得る。第１の伝送の１回の伝送によってリソースを占有する持続時間は１ｍｓ未満である。
【０１５２】
したがって、本発明のこの実施例によるユーザ装置は、ネットワークデバイスによって送信された制御情報を受信する。制御情報は、ユーザ装置とネットワークデバイスとの間の第１の伝送のための時間領域リソースを指示するために使用される第１の指示情報を含む。したがって、ユーザ装置は、第１の伝送を使用することによりネットワークデバイスと通信することができる。これは、通信処理における伝送時間遅延を低減し、ユーザエクスペリエンスを改善することができる。
【０１５３】
本発明のこの実施例では、トランシーバモジュール２１により実行される受信動作は、受信機能を有する受信モジュールにより実行され得るとともに、トランシーバモジュール２１により実行される送信動作は、送信機能を有する送信モジュールにより実行され得る
、ということが理解されるべきである。
【０１５４】
本発明のこの実施例では、任意に、制御情報は、第１の伝送に関連する無線ネットワーク一時識別子（ＲＮＴＩ）を搬送する。
【０１５５】
本発明のこの実施例では、任意に、トランシーバモジュール２１がネットワークデバイスによって送信された制御情報を受信することは、第１のサブフレームにおける最初のＭ個の時間領域シンボル上で、ネットワークデバイスによって送信された物理ダウンリンク制御チャネル（ＰＤＣＣＨ）情報を受信することであって、ＰＤＣＣＨ情報が制御情報を含み、Ｍが正の整数であり、第１のサブフレームに含まれる時間領域シンボル内の最初のＭ個の時間領域シンボルを除く他の時間領域シンボルが複数のユーザ装置に割り当てられる、受信することを含む。
【０１５６】
本発明のこの実施例では、任意に、トランシーバモジュール２１がネットワークデバイスによって送信された制御情報を受信することは、第２のサブフレームにおけるＮ個の時間領域シンボル上で、ネットワークデバイスによって送信された物理ダウンリンク共有チャネル（ＰＤＳＣＨ）を受信することであって、Ｎ個の時間領域シンボルの最初のＫ個の時間領域シンボルが制御情報を搬送し、Ｎ及びＫが正の整数である、受信することを含む。
【０１５７】
本発明のこの実施例では、任意に、第１の指示情報は、第１のサブフレーム内にあって、かつ時間領域リソースによって占有される時間領域シンボルを指示するとともに、
第１の指示情報によって指示される時間領域シンボルは、ＰＤＣＣＨ情報によって占有される時間領域シンボルを含まない。
【０１５８】
本発明のこの実施例では、任意に、第１の指示情報は、第２のサブフレーム内にあって、かつ時間領域リソースによって占有される時間領域シンボルを指示するとともに、第１の指示情報によって指示される時間領域シンボルは、ＰＤＣＣＨによって占有される時間領域シンボル又は最初のＫ個の時間領域シンボルを含まない。
【０１５９】
本発明のこの実施例では、任意に、第１の指示情報は、サブフレーム内にあって、かつ時間領域リソースによって占有される時間領域シンボルに対応する時間領域シンボルセットを指示する。
【０１６０】
本発明のこの実施例では、任意に、制御情報は、下記の情報、すなわち、第１の伝送に対応するハイブリッド自動再送要求（ＨＡＲＱ）の処理番号を指示するために使用される識別情報か、又は、第１の伝送に対応する再伝送冗長バージョンを指示するために使用される第２の指示情報のうちの少なくとも１つを更に含む。
【０１６１】
本発明のこの実施例によるユーザ装置２０は、本発明の実施例における無線通信方法２０００を対応して実行し得る、ということが理解されるべきである。さらに、ユーザ装置２０におけるモジュールの上述の並びに他の動作及び／又は機能は、図７における対応する処理を実現することを目的とする。簡潔にするために、詳細はここでは再度説明されない。
【０１６２】
したがって、本発明のこの実施例によるユーザ装置は、ネットワークデバイスによって送信された制御情報を受信する。制御情報は、ユーザ装置とネットワークデバイスとの間の第１の伝送のための時間領域リソースを指示するために使用される第１の指示情報を含む。したがって、ユーザ装置は、第１の伝送を使用することによりネットワークデバイスと通信することができる。これは、通信処理における伝送時間遅延を低減し、ユーザエクスペリエンスを改善することができる。
【０１６３】
下記は、図１４を参照して、本発明の他の実施例におけるネットワークデバイスを詳細に説明する。図１４において示されるように、ネットワークデバイス３０は、アップリンク伝送リソース指示情報をユーザ装置に送信するように構成された送信モジュール３１と、アップリンク伝送リソースに含まれる少なくとも２つの独立したサブ伝送リソース上で、ユーザ装置によって送信されたデータパケットを受信するように構成された受信モジュール３２であって、アップリンク伝送リソースが、アップリンク伝送リソース指示情報に従ってユーザ装置によって判定され、少なくとも２つの独立したサブ伝送リソースの各々の時間領域における粒度が、事前に設定されたシンボル量である、受信モジュール３２とを含む。
【０１６４】
具体的には、アップリンク伝送リソース指示情報をユーザ装置に送信した後に、ネットワークデバイスは、アップリンク伝送リソース指示情報に従って判定されたアップリンク伝送リソースに含まれる少なくとも２つの独立したサブ伝送リソース上で、ユーザ装置によって送信されたデータパケットを受信する。独立したサブ伝送リソースの各々の時間領域における粒度は、事前に設定されたシンボル量である。
【０１６５】
したがって、本発明のこの実施例におけるネットワークデバイスは、アップリンク伝送リソース指示情報をユーザ装置に送信するとともに、アップリンク伝送リソース指示情報に従って判定されたアップリンク伝送リソースに含まれる少なくとも２つの独立したサブ伝送リソース上で、ユーザ装置によって送信されたデータパケットを受信する。これは、短縮された時間遅延を有する伝送をサポートするユーザ装置のアップリンクカバレッジが制限される場合のリソース使用の問題を解決することができ、伝送時間遅延を大幅に増加させない。
【０１６６】
本発明のこの実施例では、送信モジュール３１により実行される送信動作及び受信モジュール３２により実行される受信動作は、受信及び送信機能を有するトランシーバモジュールにより実行され得る、ということが理解されるべきである。
【０１６７】
本発明のこの実施例では、任意に、アップリンク伝送リソース指示情報は、下記の情報、すなわち、少なくとも２つの独立したサブ伝送リソースの割り当てタイプ情報か、少なくとも２つの独立したサブ伝送リソースの各々に対応するサブフレーム番号情報か、又は、サブフレーム内にあって、かつ少なくとも２つの独立したサブ伝送リソースの各々に対応する時間領域シンボル及び周波数領域位置情報のうちの少なくとも１つを含む。
【０１６８】
本発明のこの実施例では、任意に、アップリンク伝送リソース指示情報は、アップリンク伝送リソースが、第１のサブフレームにおける、物理ダウンリンク制御チャネル（ＰＤＣＣＨ）によって占有されるリソースを除く残りのリソースの全部又は一部であることを指示する。
【０１６９】
本発明のこの実施例では、任意に、アップリンク伝送リソース指示情報は、アップリンク伝送リソースが、Ｍ個の連続するサブフレームの各サブフレームにおける、ＰＤＣＣＨによって占有されるリソースを除く残りのリソースの一部を含み、Ｍが２以上の整数であることを指示するか、又は、アップリンク伝送リソース指示情報は、アップリンク伝送リソースが、Ｎ個の連続するサブフレームのうちの最初のＫ個のサブフレームの各サブフレームにおける、ＰＤＣＣＨによって占有されるリソースを除く残りのリソース、及び、Ｎ個の連続するサブフレームのうちの最後のＮ−Ｋ個のサブフレームの各サブフレームにおける、ＰＤＣＣＨによって占有されるリソースを除く残りのリソースの一部を含み、Ｎ及びＫが１以上の整数であることを指示する。
【０１７０】
本発明のこの実施例によるネットワークデバイス３０は、本発明の実施例における無線通信方法３０００を対応して実行し得る、ということが理解されるべきである。さらに、ネットワークデバイス３０におけるモジュールの上述の並びに他の動作及び／又は機能は、図８における対応する処理を実現することを目的とする。簡潔にするために、詳細はここでは再度説明されない。
【０１７１】
したがって、本発明のこの実施例におけるネットワークデバイスは、アップリンク伝送リソース指示情報をユーザ装置に送信するとともに、アップリンク伝送リソース指示情報に従って判定されたアップリンク伝送リソースに含まれる少なくとも２つの独立したサブ伝送リソース上で、ユーザ装置によって送信されたデータパケットを受信する。これは、短縮された時間遅延を有する伝送をサポートするユーザ装置のアップリンクカバレッジが制限される場合のリソース使用の問題を解決することができ、伝送時間遅延を大幅に増加させない。
【０１７２】
下記は、図１５を参照して、本発明の別の実施例におけるユーザ装置を詳細に説明する。図１５において示されるように、ユーザ装置４０は、ネットワークデバイスによって送信されたアップリンク伝送リソース指示情報を受信するように構成されたトランシーバモジュール４１と、アップリンク伝送リソース指示情報に従ってアップリンク伝送リソースを判定するように構成された判定モジュール４２であって、アップリンク伝送リソースが、少なくとも２つの独立したサブ伝送リソースを含み、少なくとも２つの独立したサブ伝送リソースの各々の時間領域における粒度が、事前に設定されたシンボル量である、判定モジュール４２とを含む。
【０１７３】
トランシーバモジュール４１は、少なくとも２つの独立したサブ伝送リソース上でデータパケットをネットワークデバイスに送信するように更に構成される。
【０１７４】
具体的には、ネットワークデバイスによって送信されたアップリンク伝送リソース指示情報を受信した後に、ユーザ装置は、アップリンク伝送リソース指示情報に従って判定されたアップリンク伝送リソースに含まれる少なくとも２つの独立したサブ伝送リソース上でネットワークデバイスにデータパケットを送信する。独立したサブ伝送リソースの各々の時間領域における粒度は、事前に設定されたシンボル量である。
【０１７５】
したがって、本発明のこの実施例におけるユーザ装置は、ネットワークデバイスによって送信されたアップリンク伝送リソース指示情報を受信するとともに、アップリンク伝送リソース指示情報に従って判定されたアップリンク伝送リソースに含まれる少なくとも２つの独立したサブ伝送リソース上でネットワークデバイスにデータパケットを送信する。これは、短縮された時間遅延を有する伝送をサポートするユーザ装置のアップリンクカバレッジが制限される場合のリソース使用の問題を解決することができ、伝送時間遅延を大幅に増加させない。
【０１７６】
本発明のこの実施例では、トランシーバモジュール４１により実行される受信動作は、受信機能を有する受信モジュールにより実行され得るとともに、トランシーバモジュール４１により実行される送信動作は、送信機能を有する送信モジュールにより実行され得る
、ということが理解されるべきである。
【０１７７】
本発明のこの実施例では、任意に、アップリンク伝送リソース指示情報は、下記の情報、すなわち、少なくとも２つの独立したサブ伝送リソースの割り当てタイプ情報か、少なくとも２つの独立したサブ伝送リソースの各々に対応するサブフレーム番号情報か、又は、サブフレーム内にあって、かつ少なくとも２つの独立したサブ伝送リソースの各々に対応する時間領域シンボル及び周波数領域位置情報のうちの少なくとも１つを含む。
【０１７８】
本発明のこの実施例では、任意に、アップリンク伝送リソース指示情報は、アップリンク伝送リソースが、第１のサブフレームにおける、物理ダウンリンク制御チャネル（ＰＤＣＣＨ）によって占有されるリソースを除く残りのリソースの全部又は一部であることを指示する。
【０１７９】
本発明のこの実施例では、任意に、アップリンク伝送リソース指示情報は、アップリンク伝送リソースが、Ｍ個の連続するサブフレームの各サブフレームにおける、ＰＤＣＣＨによって占有されるリソースを除く残りのリソースの一部を含み、Ｍが２以上の整数であることを指示するか、又は、アップリンク伝送リソース指示情報は、アップリンク伝送リソースが、Ｎ個の連続するサブフレームのうちの最初のＫ個のサブフレームの各サブフレームにおける、ＰＤＣＣＨによって占有されるリソースを除く残りのリソース、及び、Ｎ個の連続するサブフレームのうちの最後のＮ−Ｋ個のサブフレームの各サブフレームにおける、ＰＤＣＣＨによって占有されるリソースを除く残りのリソースの一部を含み、Ｎ及びＫが１以上の整数であることを指示する。
【０１８０】
本発明のこの実施例によるユーザ装置４０は、本発明の実施例における無線通信方法４０００を対応して実行し得る、ということが理解されるべきである。さらに、ユーザ装置４０におけるモジュールの上述の並びに他の動作及び／又は機能は、図１１における対応する処理を実現することを目的とする。簡潔にするために、詳細はここでは再度説明されない。
【０１８１】
したがって、本発明のこの実施例におけるユーザ装置は、ネットワークデバイスにより送信されたアップリンク伝送リソース指示情報を受信するとともに、アップリンク伝送リソース指示情報に従って判定されたアップリンク伝送リソースに含まれる少なくとも２つの独立したサブ伝送リソース上で、ネットワークデバイスにデータパケットを送信する。これは、短縮された時間遅延を有する伝送をサポートするユーザ装置のアップリンクカバレッジが制限される場合のリソース使用の問題を解決することができ、伝送時間遅延を大幅に増加させない。
【０１８２】
本発明の実施例は、図１２において示されるネットワークデバイス１０及び図１３において示されるユーザ装置２０を含む無線通信システムを更に提供する。ネットワークデバイス１０は、本発明の実施例における無線通信方法１０００を対応して実行し得るとともに、ネットワークデバイス１０内のモジュールの上記並びに他の動作及び／又は機能は、図４における対応する処理を実現することを目的とする。ユーザ装置２０は、本発明の実施例における無線通信方法２０００を対応して実行し得るとともに、ユーザ装置２０内のモジュールの上記並びに他の動作及び／又は機能は、図７における対応する処理を実現することを目的とする。簡潔にするために、詳細はここでは再度説明されない。
【０１８３】
本発明は、図１４において示されるネットワークデバイス３０及び図１５において示されるユーザ装置４０を含む無線通信システムを更に提供する。ネットワークデバイス３０は、本発明の実施例における無線通信方法３０００を対応して実行し得るとともに、ネットワークデバイス３０内のモジュールの上記並びに他の動作及び／又は機能は、図８における対応する処理を実現することを目的とする。ユーザ装置４０は、本発明の実施例における無線通信方法４０００を対応して実行し得るとともに、ユーザ装置４０内のモジュールの上記並びに他の動作及び／又は機能は、図１１における対応する処理を実現することを目的とする。簡潔にするために、詳細はここでは再度説明されない。
【０１８４】
図１６において示されるように、本発明の実施例は、ネットワークデバイス１００を更に提供する。ネットワークデバイス１００は、プロセッサ１０１、メモリ１０２、受信機１０３、送信機１０４、及びバスシステム１０５を含む。バスシステム１０５は任意である。プロセッサ１０１、メモリ１０２、受信機１０３、及び送信機１０４は、バスシステム１０５を使用することにより接続され得る。メモリ１０２は、命令を記憶するように構成される。プロセッサ１０１は、メモリ１０２に記憶された命令を実行し、受信機１０３を制御して信号を受信し、送信機１０４を制御して信号を送信するように構成される。プロセッサ１０１は、制御情報を生成するように構成され、制御情報は、ユーザ装置とネットワークデバイスとの間の第１の伝送のための時間領域リソースを指示するために使用される第１の指示情報を含み、第１の伝送の１回の伝送によってリソースを占有する持続時間は１ミリ秒未満である。送信機１０４は、制御情報をユーザ装置に送信するように構成される。
【０１８５】
したがって、本発明のこの実施例によるネットワークデバイスは、ユーザ装置に、ユーザ装置とネットワークデバイスとの間の第１の伝送のための時間領域リソースを指示するために使用される第１の指示情報を含む制御情報を送信する。ユーザ装置は、制御情報に従って、第１の伝送を使用することによりネットワークデバイスと通信するための時間領域リソースを取得し、取得された時間領域リソース上でネットワークデバイスと通信することができる。第１の伝送の１回の伝送によってリソースを占有する持続時間は１ｍｓ未満である。これは、通信処理における伝送時間遅延を低減し、ユーザエクスペリエンスを改善することができる。
【０１８６】
本発明のこの実施例では、プロセッサ１０１は、中央処理装置（Central  Processing  Unit、略して“ＣＰＵ”）であり得るか、又は、他の汎用プロセッサ、デジタル信号プロセッサ（ＤＳＰ）、特定用途向け集積回路（ＡＳＩＣ）、フィールドプログラマブルゲートアレイ（ＦＰＧＡ）若しくは他のプログラマブルロジックデバイス、ディスクリートゲート若しくはトランジスタロジックデバイス、ディスクリートハードウェアコンポーネント、若しくは同様のものであり得る、ということが理解されるべきである。汎用プロセッサはマイクロプロセッサであり得るか、又は、プロセッサはあらゆる従来のプロセッサ若しくは同様のものであり得る。
【０１８７】
メモリ１０２は、読み出し専用メモリ及びランダムアクセスメモリを含み得るとともに、プロセッサ１０１に命令及びデータを提供し得る。メモリ１０２の一部は、不揮発性ランダムアクセスメモリを更に含み得る。例えば、メモリ１０２は、デバイスタイプ情報を更に記憶し得る。
【０１８８】
データバスに加えて、バスシステム１０５は、電力バス、制御バス、ステータス信号バスなどを更に含むことができる。しかしながら、説明を分かりやすくするために、図においては、全てのバスがバスシステム１０５として表現される。
【０１８９】
一実装プロセスにおいて、上述した方法のステップは、プロセッサ１０１内のハードウェアの集積論理回路、又はソフトウェア形式の命令を使用することにより実行され得る。本発明の実施例を参照して開示された方法のステップは、ハードウェアプロセッサにより直接実行され得るか、又は、プロセッサ内のハードウェア及びソフトウェアモジュールにより実行され得る。ソフトウェアモジュールは、ランダムアクセスメモリ、フラッシュメモリ、読出し専用メモリ、プログラマブル読出し専用メモリ若しくは電気的消去可能プログラマブル読出し専用メモリ、又はレジスタのような、当該技術における完成された記憶媒体に配置され得る。記憶媒体はメモリ１０２内に配置される。プロセッサ１０１は、メモリ１０２から情報を読み取り、プロセッサ１０１のハードウェアを使用することにより上述の方法のステップを実行する。繰り返しを避けるために、詳細はここでは説明されない。
【０１９０】
任意に、一実施例において、制御情報は、第１の伝送に関連する無線ネットワーク一時識別子（ＲＮＴＩ）を搬送する。
【０１９１】
任意に、一実施例において、送信機１０４が制御情報をユーザ装置に送信することは、
第１のサブフレームにおける最初のＭ個の時間領域シンボルを使用することにより物理ダウンリンク制御チャネル（ＰＤＣＣＨ）情報をユーザ装置に送信することであって、ＰＤＣＣＨ情報が制御情報を含み、Ｍが正の整数であり、第１のサブフレームに含まれる時間領域シンボル内の最初のＭ個の時間領域シンボルを除く他の時間領域シンボルが複数のユーザ装置に割り当てられる、送信することを含む。
【０１９２】
任意に、一実施例において、送信機１０４が制御情報をユーザ装置に送信することは、第２のサブフレームにおけるＮ個の時間領域シンボルを使用することにより物理ダウンリンク共有チャネル（ＰＤＳＣＨ）をユーザ装置に送信することであって、Ｎ個の時間領域シンボルの最初のＫ個の時間領域シンボルが制御情報を搬送し、Ｎ及びＫが正の整数である、送信することを含む。
【０１９３】
任意に、一実施例において、第１の指示情報は、第１のサブフレーム内にあって、かつ時間領域リソースによって占有される時間領域シンボルを指示するとともに、第１の指示情報によって指示される時間領域シンボルは、ＰＤＣＣＨ情報によって占有される時間領域シンボルを含まない。
【０１９４】
任意に、一実施例において、第１の指示情報は、第２のサブフレーム内にあって、かつ時間領域リソースによって占有される時間領域シンボルを指示するとともに、第１の指示情報によって指示される時間領域シンボルは、ＰＤＣＣＨによって占有される時間領域シンボル又は最初のＫ個の時間領域シンボルを含まない。
【０１９５】
任意に、一実施例において、第１の指示情報は、サブフレーム内にあって、かつ時間領域リソースによって占有される時間領域シンボルに対応する時間領域シンボルセットを指示する。
【０１９６】
任意に、一実施例において、制御情報は、下記の情報、すなわち、第１の伝送に対応するハイブリッド自動再送要求（ＨＡＲＱ）の処理番号を指示するために使用される識別情報か、又は、第１の伝送に対応する再伝送冗長バージョンを指示するために使用される第２の指示情報のうちの少なくとも１つを更に含む。
【０１９７】
本発明のこの実施例によるネットワークデバイス１００は、本発明の実施例におけるネットワークデバイス１０に対応し得るとともに、本発明の実施例における方法を実行する対応する主体に対応し得る、ということが理解されるべきである。さらに、ネットワークデバイス１００におけるモジュールの上述の並びに他の動作及び／又は機能は、図４における各方法の対応する処理を実現することを目的とする。簡潔にするために、詳細はここでは再度説明されない。
【０１９８】
したがって、本発明のこの実施例によるネットワークデバイスは、ユーザ装置に、ユーザ装置とネットワークデバイスとの間の第１の伝送のための時間領域リソースを指示するために使用される第１の指示情報を含む制御情報を送信する。ユーザ装置は、制御情報に従って、第１の伝送を使用することによりネットワークデバイスと通信するための時間領域リソースを取得し、取得された時間領域リソース上でネットワークデバイスと通信することができる。第１の伝送の１回の伝送によってリソースを占有する持続時間は１ｍｓ未満である。これは、通信処理における伝送時間遅延を低減し、ユーザエクスペリエンスを改善することができる。
【０１９９】
図１７において示されるように、本発明の実施例は、ユーザ装置２００を更に提供する。ユーザ装置２００は、プロセッサ２０１、メモリ２０２、受信機２０３、送信機２０４、及びバスシステム２０５を含む。バスシステム２０５は任意である。プロセッサ２０１、メモリ２０２、受信機２０３、及び送信機２０４は、バスシステム２０５を使用することにより接続され得る。メモリ２０２は、命令を記憶するように構成される。プロセッサ２０１は、メモリ２０２に記憶された命令を実行し、受信機２０３を制御して信号を受信し、送信機２０４を制御して信号を送信するように構成される。受信機２０３は、ネットワークデバイスによって送信された制御情報を受信するように構成され、制御情報は、ユーザ装置とネットワークデバイスとの間の第１の伝送のための時間領域リソースを指示するために使用される第１の指示情報を含み、第１の伝送の１回の伝送によってリソースを占有する持続時間は１ミリ秒未満である。プロセッサ２０１は、受信機２０３及び送信機２０４を制御して、制御情報に従ってネットワークデバイスと通信するように構成される。
【０２００】
したがって、本発明のこの実施例によるユーザ装置は、ネットワークデバイスによって送信された制御情報を受信する。制御情報は、ユーザ装置とネットワークデバイスとの間の第１の伝送のための時間領域リソースを指示するために使用される第１の指示情報を含む。したがって、ユーザ装置は、第１の伝送を使用することによりネットワークデバイスと通信することができる。これは、通信処理における伝送時間遅延を低減し、ユーザエクスペリエンスを改善することができる。
【０２０１】
本発明のこの実施例では、プロセッサ２０１は、中央処理装置（Central  Processing  Unit、略して“ＣＰＵ”）であり得るか、又は、他の汎用プロセッサ、デジタル信号プロセッサ（ＤＳＰ）、特定用途向け集積回路（ＡＳＩＣ）、フィールドプログラマブルゲートアレイ（ＦＰＧＡ）若しくは他のプログラマブルロジックデバイス、ディスクリートゲート若しくはトランジスタロジックデバイス、ディスクリートハードウェアコンポーネント、若しくは同様のものであり得る、ということが理解されるべきである。汎用プロセッサはマイクロプロセッサであり得るか、又は、プロセッサはあらゆる従来のプロセッサ若しくは同様のものであり得る。
【０２０２】
メモリ２０２は、読み出し専用メモリ及びランダムアクセスメモリを含み得るとともに、プロセッサ２０１に命令及びデータを提供し得る。メモリ２０２の一部は、不揮発性ランダムアクセスメモリを更に含み得る。例えば、メモリ２０２は、デバイスタイプ情報を更に記憶し得る。
【０２０３】
データバスに加えて、バスシステム２０５は、電力バス、制御バス、ステータス信号バスなどを更に含むことができる。しかしながら、説明を分かりやすくするために、図においては、全てのバスがバスシステム２０５として表現される。
【０２０４】
一実装プロセスにおいて、上述した方法のステップは、プロセッサ２０１内のハードウェアの集積論理回路又はソフトウェア形式の命令を使用することにより実行され得る。本発明の実施例を参照して開示された方法のステップは、ハードウェアプロセッサにより直接実行され得るか、又は、プロセッサ内のハードウェア及びソフトウェアモジュールにより実行され得る。ソフトウェアモジュールは、ランダムアクセスメモリ、フラッシュメモリ、読出し専用メモリ、プログラマブル読出し専用メモリ若しくは電気的消去可能プログラマブル読出し専用メモリ、又はレジスタのような、当該技術における完成された記憶媒体に配置され得る。記憶媒体はメモリ２０２内に配置される。プロセッサ２０１は、メモリ２０２から情報を読み取り、プロセッサ２０１のハードウェアを使用することにより上述の方法のステップを実行する。繰り返しを避けるために、詳細はここでは説明されない。
【０２０５】
任意に、一実施例において、制御情報は、第１の伝送に関連する無線ネットワーク一時識別子（ＲＮＴＩ）を搬送する。
【０２０６】
任意に、一実施例において、受信機２０３がネットワークデバイスによって送信された制御情報を受信することは、第１のサブフレームにおける最初のＭ個の時間領域シンボル上で、ネットワークデバイスによって送信された物理ダウンリンク制御チャネル（ＰＤＣＣＨ）情報を受信することであって、ＰＤＣＣＨ情報が制御情報を含み、Ｍが正の整数であり、第１のサブフレームに含まれる時間領域シンボル内の最初のＭ個の時間領域シンボルを除く他の時間領域シンボルが複数のユーザ装置に割り当てられる、受信することを含む。
【０２０７】
任意に、一実施例において、受信機２０３がネットワークデバイスによって送信された制御情報を受信することは、第２のサブフレームにおけるＮ個の時間領域シンボル上で、ネットワークデバイスによって送信された物理ダウンリンク共有チャネル（ＰＤＳＣＨ）を受信することであって、Ｎ個の時間領域シンボルの最初のＫ個の時間領域シンボルが制御情報を搬送し、Ｎ及びＫが正の整数である、受信することを含む。
【０２０８】
任意に、一実施例において、第１の指示情報は、第１のサブフレーム内にあって、かつ時間領域リソースによって占有される時間領域シンボルを指示するとともに、第１の指示情報によって指示される時間領域シンボルは、ＰＤＣＣＨ情報によって占有される時間領域シンボルを含まない。
【０２０９】
任意に、一実施例において、第１の指示情報は、第２のサブフレーム内にあって、かつ時間領域リソースによって占有される時間領域シンボルを指示するとともに、第１の指示情報によって指示される時間領域シンボルは、ＰＤＣＣＨによって占有される時間領域シンボル又は最初のＫ個の時間領域シンボルを含まない。
【０２１０】
任意に、一実施例において、第１の指示情報は、サブフレーム内にあって、かつ時間領域リソースによって占有される時間領域シンボルに対応する時間領域シンボルセットを指示する。
【０２１１】
任意に、一実施例において、制御情報は、下記の情報、すなわち、第１の伝送に対応するハイブリッド自動再送要求（ＨＡＲＱ）の処理番号を指示するために使用される識別情報か、又は、第１の伝送に対応する再伝送冗長バージョンを指示するために使用される第２の指示情報のうちの少なくとも１つを更に含む。
【０２１２】
本発明のこの実施例によるユーザ装置２００は、本発明の実施例におけるユーザ装置２０に対応し得るとともに、本発明の実施例における方法の対応する主体に対応し得る、ということが理解されるべきである。さらに、ユーザ装置２００におけるモジュールの上述の並びに他の動作及び／又は機能は、図７における方法の対応する処理を実現することを目的とする。簡潔にするために、詳細はここでは再度説明されない。
【０２１３】
したがって、本発明のこの実施例によるユーザ装置は、ネットワークデバイスによって送信された制御情報を受信する。制御情報は、ユーザ装置とネットワークデバイスとの間の第１の伝送のための時間領域リソースを指示するために使用される第１の指示情報を含む。したがって、ユーザ装置は、第１の伝送を使用することによりネットワークデバイスと通信することができる。これは、通信処理における伝送時間遅延を低減し、ユーザエクスペリエンスを改善することができる。
【０２１４】
図１８において示されるように、本発明の実施例は、ネットワークデバイス３００を更に提供する。ネットワークデバイス３００は、プロセッサ３０１、メモリ３０２、受信機３０３、送信機３０４、及びバスシステム３０５を含む。バスシステム３０５は任意である。プロセッサ３０１、メモリ３０２、受信機３０３、及び送信機３０４は、バスシステム３０５を使用することにより接続され得る。メモリ３０２は、命令を記憶するように構成される。プロセッサ３０１は、メモリ３０２に記憶された命令を実行し、受信機３０３を制御して信号を受信し、送信機３０４を制御して信号を送信するように構成される。送信機３０４は、アップリンク伝送リソース指示情報をユーザ装置に送信するように構成される。受信機３０３は、アップリンク伝送リソースに含まれる少なくとも２つの独立したサブ伝送リソース上で、ユーザ装置によって送信されたデータパケットを受信するように構成され、アップリンク伝送リソースは、アップリンク伝送リソース指示情報に従ってユーザ装置によって判定され、少なくとも２つの独立したサブ伝送リソースの各々の時間領域における粒度は、事前に設定されたシンボル量である。
【０２１５】
したがって、本発明のこの実施例におけるネットワークデバイスは、アップリンク伝送リソース指示情報をユーザ装置に送信するとともに、アップリンク伝送リソース指示情報に従って判定されたアップリンク伝送リソースに含まれる少なくとも２つの独立したサブ伝送リソース上で、ユーザ装置によって送信されたデータパケットを受信する。これは、短縮された時間遅延を有する伝送をサポートするユーザ装置のアップリンクカバレッジが制限される場合のリソース使用の問題を解決することができ、伝送時間遅延を大幅に増加させない。
【０２１６】
本発明のこの実施例では、プロセッサ３０１は、中央処理装置（Central  Processing  Unit、略して“ＣＰＵ”）であり得るか、又は、他の汎用プロセッサ、デジタル信号プロセッサ（ＤＳＰ）、特定用途向け集積回路（ＡＳＩＣ）、フィールドプログラマブルゲートアレイ（ＦＰＧＡ）若しくは他のプログラマブルロジックデバイス、ディスクリートゲート若しくはトランジスタロジックデバイス、ディスクリートハードウェアコンポーネント、又は同様のものであり得る、ということが理解されるべきである。汎用プロセッサはマイクロプロセッサであり得るか、又は、プロセッサはあらゆる従来のプロセッサ若しくは同様のものであり得る。
【０２１７】
メモリ３０２は、読み出し専用メモリ及びランダムアクセスメモリを含み得るとともに、プロセッサ３０１に命令及びデータを提供し得る。メモリ３０２の一部は、不揮発性ランダムアクセスメモリを更に含み得る。例えば、メモリ３０２は、デバイスタイプ情報を更に記憶し得る。
【０２１８】
データバスに加えて、バスシステム３０５は、電力バス、制御バス、ステータス信号バスなどを更に含むことができる。しかしながら、説明を分かりやすくするために、図においては、全てのバスがバスシステム３０５として表現される。
【０２１９】
一実装プロセスにおいて、上述した方法のステップは、プロセッサ３０１内のハードウェアの集積論理回路又はソフトウェア形式の命令を使用することにより実行され得る。本発明の実施例を参照して開示された方法のステップは、ハードウェアプロセッサにより直接実行され得るか、又は、プロセッサ内のハードウェア及びソフトウェアモジュールにより実行され得る。ソフトウェアモジュールは、ランダムアクセスメモリ、フラッシュメモリ、読出し専用メモリ、プログラマブル読出し専用メモリ若しくは電気的消去可能プログラマブル読出し専用メモリ、又はレジスタのような、当該技術における完成された記憶媒体に配置され得る。記憶媒体はメモリ３０２内に配置される。プロセッサ３０１は、メモリ３０２から情報を読み取り、プロセッサ３０１のハードウェアを使用することにより上述の方法のステップを実行する。繰り返しを避けるために、詳細はここでは説明されない。
【０２２０】
任意に、一実施例において、アップリンク伝送リソース指示情報は、下記の情報、すなわち、少なくとも２つの独立したサブ伝送リソースの割り当てタイプ情報か、少なくとも２つの独立したサブ伝送リソースの各々に対応するサブフレーム番号情報か、又は、サブフレーム内にあって、かつ少なくとも２つの独立したサブ伝送リソースの各々に対応する時間領域シンボル及び周波数領域位置情報のうちの少なくとも１つを含む。
【０２２１】
任意に、一実施例において、アップリンク伝送リソース指示情報は、アップリンク伝送リソースが、第１のサブフレームにおける、物理ダウンリンク制御チャネル（ＰＤＣＣＨ）によって占有されるリソースを除く残りのリソースの全部又は一部であることを指示する。
【０２２２】
任意に、一実施例において、アップリンク伝送リソース指示情報は、アップリンク伝送リソースが、Ｍ個の連続するサブフレームの各サブフレームにおける、ＰＤＣＣＨによって占有されるリソースを除く残りのリソースの一部を含み、Ｍが２以上の整数であることを指示するか、又は、アップリンク伝送リソース指示情報は、アップリンク伝送リソースが、Ｎ個の連続するサブフレームのうちの最初のＫ個のサブフレームの各サブフレームにおける、ＰＤＣＣＨによって占有されるリソースを除く残りのリソース、及び、Ｎ個の連続するサブフレームのうちの最後のＮ−Ｋ個のサブフレームの各サブフレームにおける、ＰＤＣＣＨによって占有されるリソースを除く残りのリソースの一部を含み、Ｎ及びＫが１以上の整数であることを指示する。
【０２２３】
本発明のこの実施例によるネットワークデバイス３００は、本発明の実施例におけるネットワークデバイス３０に対応し得るとともに、本発明の実施例における方法の対応する主体に対応し得る、ということが理解されるべきである。さらに、ネットワークデバイス３００におけるモジュールの上述の並びに他の動作及び／又は機能は、図８における方法の対応する処理を実現することを目的とする。簡潔にするために、詳細はここでは再度説明されない。
【０２２４】
したがって、本発明のこの実施例におけるネットワークデバイスは、アップリンク伝送リソース指示情報をユーザ装置に送信するとともに、アップリンク伝送リソース指示情報に従って判定されたアップリンク伝送リソースに含まれる少なくとも２つの独立したサブ伝送リソース上で、ユーザ装置によって送信されたデータパケットを受信する。これは、短縮された時間遅延を有する伝送をサポートするユーザ装置のアップリンクカバレッジが制限される場合のリソース使用の問題を解決することができ、伝送時間遅延を大幅に増加させない。
【０２２５】
図１９において示されるように、本発明の実施例は、ユーザ装置４００を更に提供する。ユーザ装置４００は、プロセッサ４０１、メモリ４０２、受信機４０３、送信機４０４、及びバスシステム４０５を含む。バスシステム４０５は任意である。プロセッサ４０１、メモリ４０２、受信機４０３、及び送信機４０４は、バスシステム４０５を使用することにより接続され得る。メモリ４０２は、命令を記憶するように構成される。プロセッサ４０１は、メモリ４０２に記憶された命令を実行し、受信機４０３を制御して信号を受信し、送信機４０４を制御して信号を送信するように構成される。受信機４０３は、ネットワークデバイスによって送信されたアップリンク伝送リソース指示情報を受信するように構成される。プロセッサ４０１は、アップリンク伝送リソース指示情報に従ってアップリンク伝送リソースを判定するように構成され、アップリンク伝送リソースは、少なくとも２つの独立したサブ伝送リソースを含み、少なくとも２つの独立したサブ伝送リソースの各々の時間領域における粒度は、事前に設定されたシンボル量である。送信機４０４は、少なくとも２つの独立したサブ伝送リソース上でネットワークデバイスにデータパケットを送信するように構成される。
【０２２６】
したがって、本発明のこの実施例におけるユーザ装置は、ネットワークデバイスによって送信されたアップリンク伝送リソース指示情報を受信するとともに、アップリンク伝送リソース指示情報に従って判定されたアップリンク伝送リソースに含まれる少なくとも２つの独立したサブ伝送リソース上でネットワークデバイスにデータパケットを送信する。これは、短縮された時間遅延を有する伝送をサポートするユーザ装置のアップリンクカバレッジが制限される場合のリソース使用の問題を解決することができ、伝送時間遅延を大幅に増加させない。
【０２２７】
本発明のこの実施例では、プロセッサ４０１は、中央処理装置（Central  Processing  Unit、略して“ＣＰＵ”）であり得るか、又は、他の汎用プロセッサ、デジタル信号プロセッサ（ＤＳＰ）、特定用途向け集積回路（ＡＳＩＣ）、フィールドプログラマブルゲートアレイ（ＦＰＧＡ）若しくは他のプログラマブルロジックデバイス、ディスクリートゲート若しくはトランジスタロジックデバイス、ディスクリートハードウェアコンポーネント、又は同様のものであり得る、ということが理解されるべきである。汎用プロセッサはマイクロプロセッサであり得るか、又は、プロセッサはあらゆる従来のプロセッサ若しくは同様のものであり得る。
【０２２８】
メモリ４０２は、読み出し専用メモリ及びランダムアクセスメモリを含み得るとともに、プロセッサ４０１に命令及びデータを提供し得る。メモリ４０２の一部は、不揮発性ランダムアクセスメモリを更に含み得る。例えば、メモリ４０２は、デバイスタイプ情報を更に記憶し得る。
【０２２９】
データバスに加えて、バスシステム４０５は、電力バス、制御バス、ステータス信号バスなどを更に含むことができる。しかしながら、説明を分かりやすくするために、図においては、全てのバスがバスシステム４０５として表現される。
【０２３０】
一実装プロセスにおいて、上述した方法のステップは、プロセッサ４０１内のハードウェアの集積論理回路又はソフトウェア形式の命令を使用することにより実行され得る。本発明の実施例を参照して開示された方法のステップは、ハードウェアプロセッサにより直接実行され得るか、又は、プロセッサ内のハードウェア及びソフトウェアモジュールにより実行され得る。ソフトウェアモジュールは、ランダムアクセスメモリ、フラッシュメモリ、読出し専用メモリ、プログラマブル読出し専用メモリ若しくは電気的消去可能プログラマブル読出し専用メモリ、又はレジスタのような、当該技術における完成された記憶媒体に配置され得る。記憶媒体はメモリ４０２内に配置される。プロセッサ４０１は、メモリ４０２から情報を読み取り、プロセッサ４０１のハードウェアを使用することにより上述の方法のステップを実行する。繰り返しを避けるために、詳細はここでは説明されない。
【０２３１】
任意に、一実施例において、アップリンク伝送リソース指示情報は、下記の情報、すなわち、少なくとも２つの独立したサブ伝送リソースの割り当てタイプ情報か、少なくとも２つの独立したサブ伝送リソースの各々に対応するサブフレーム番号情報か、又は、サブフレーム内にあって、かつ少なくとも２つの独立したサブ伝送リソースの各々に対応する時間領域シンボル及び周波数領域位置情報のうちの少なくとも１つを含む。
【０２３２】
任意に、一実施例において、アップリンク伝送リソース指示情報は、アップリンク伝送リソースが、第１のサブフレームにおける、物理ダウンリンク制御チャネル（ＰＤＣＣＨ）によって占有されるリソースを除く残りのリソースの全部又は一部であることを指示する。
【０２３３】
任意に、一実施例において、アップリンク伝送リソース指示情報は、アップリンク伝送リソースが、Ｍ個の連続するサブフレームの各サブフレームにおける、ＰＤＣＣＨによって占有されるリソースを除く残りのリソースの一部を含み、Ｍが２以上の整数であることを指示するか、又は、アップリンク伝送リソース指示情報は、アップリンク伝送リソースが、Ｎ個の連続するサブフレームのうちの最初のＫ個のサブフレームの各サブフレームにおける、ＰＤＣＣＨによって占有されるリソースを除く残りのリソース、及び、Ｎ個の連続するサブフレームのうちの最後のＮ−Ｋ個のサブフレームの各サブフレームにおける、ＰＤＣＣＨによって占有されるリソースを除く残りのリソースの一部を含み、Ｎ及びＫが１以上の整数であることを指示する。
【０２３４】
本発明のこの実施例によるユーザ装置４００は、本発明の実施例におけるユーザ装置４０に対応し得るとともに、本発明の実施例における方法の対応する主体に対応し得る、ということが理解されるべきである。さらに、ユーザ装置４００におけるモジュールの上述の並びに他の動作及び／又は機能は、図７における方法の対応する処理を実現することを目的とする。簡潔にするために、詳細はここでは再度説明されない。
【０２３５】
したがって、本発明のこの実施例におけるユーザ装置は、ネットワークデバイスによって送信されたアップリンク伝送リソース指示情報を受信するとともに、アップリンク伝送リソース指示情報に従って判定されたアップリンク伝送リソースに含まれる少なくとも２つの独立したサブ伝送リソース上でネットワークデバイスにデータパケットを送信する。これは、短縮された時間遅延を有する伝送をサポートするユーザ装置のアップリンクカバレッジが制限される場合のリソース使用の問題を解決することができ、伝送時間遅延を大幅に増加させない。
【０２３６】
本明細書全体において言及された“１つの実施例”又は“一実施例”は、実施例に関連する特定の特徴、構造、又は特性が本発明の少なくとも１つの実施例に含まれることを意味する、ということが理解されるべきである。したがって、本明細書全体を通して出現する“１つの実施例において”又は“一実施例において”は、必ずしも同じ実施例を意味するものではない。さらに、これら特定の特徴、構造、又は特性は、１つ又は複数の実施例において、任意の適切な方法を使用することにより組み合わされ得る。
【０２３７】
上述の処理のシーケンス番号は、本発明の実施例における実行シーケンスを意味するものではない、ということが理解されるべきである。処理の実行順序は、処理の機能や内部ロジックに応じて決定されるべきであり、本発明の実施例の実装プロセスの限定として解釈されるべきではない。
【０２３８】
さらに、本明細書では、用語“システム”及び“ネットワーク”は、交換可能に使用され得る。本明細書における用語“及び／又は”は、関連するオブジェクトを説明するための対応関係のみを説明するとともに、３つの関係が存在し得ることを表す、ということが理解されるべきである。例えば、Ａ及び／又はＢは、下記の３つの場合、すなわち、Ａのみが存在する、ＡとＢの両方が存在する、そしてＢのみが存在する、を表し得る。
さらに、この明細書における記号“／”は、一般に、関連するオブジェクトの間の“又は”の関係を指示する。
【０２３９】
本出願で提供される実施例では、“ＢはＡに対応する”は、ＢがＡに関連付けられ、ＢがＡに従って決定され得ることを指示する、ということが理解されるべきである。しかしながら、Ａに従ってＢを決定することは、Ａのみに従ってＢが決定されることを意味するものではなく、Ｂは、同様に、Ａ及び／又は他の情報に従って決定され得る、ということが更に理解されるべきである。
【０２４０】
当業者は、本明細書中で開示される実施例において説明される実例と組み合わせて、ユニット及びアルゴリズムステップが、電子ハードウェア、コンピュータソフトウェア、又はそれらの組み合わせにより実施され得ることに、気付くかもしれない。ハードウェアとソフトウェアとの間の互換性を明確に説明するために、上記は、各実例の構成物及びステップを、機能に従って一般的に説明する。機能がハードウェアにより実行されるか又はソフトウェアにより実行されるかは、技術的解決法の特定のアプリケーション及び設計制約条件に依存する。当業者は、各特定のアプリケーションに関して、説明された機能を実装するために異なる方法を使用し得るが、しかし、実装例は本発明の範囲を超えるものと考えられるべきではない。
【０２４１】
都合が良くそして簡潔な記述のために、上述のシステム、装置、及びユニットの詳細な作業処理については、上述の方法の実施例の対応する処理に対して参照が行われ得るとともに、詳細は再度ここでは説明されない、ということが当業者によって明らかに理解され得る。
【０２４２】
本出願において提供されるいくらかの実施例において、開示されたシステム、装置、及び方法は他の様式で実施され得る、ということが理解されるべきである。例えば、説明された装置の実施例は、単に代表的である。例えば、ユニットの分割は、単に論理的な機能の分割であるとともに、実際の実装例では他の分割であるかもしれない。例えば、複数のユニット又はコンポーネントは、他のシステムに結合され得るか若しくは統合され得るか、又は、いくつかの特徴は、無視され得るか若しくは実行されないかもしれない。さらに、表示されたか若しくは論じられた相互の結合又は直接的な結合又は通信接続は、いくつかインタフェースを使用することにより実施され得る。装置若しくはユニットの間の間接的な結合又は通信接続は、電子的方式、機械的方式、又は他の方式において実施され得る。
【０２４３】
別個の部品として説明されるユニットは、物理的に分離されているかもしれないし、又は物理的に分離されていないかもしれないとともに、ユニットとして表示される部品は、物理的なユニットであるかもしれないし、又は物理的なユニットではないかもしれず、１つの位置に位置付けられるかもしれないし、又は複数のネットワークユニットに対して分散されるかもしれない。いくつか又は全てのユニットは、実施例の解決法の目的を達成するために、実際の要求に従って選択され得る。
【０２４４】
さらに、本発明の実施例における機能ユニットは１つの演算処理装置に統合され得るか、又は、それぞれのユニットは物理的に単独で存在し得るか、又は、２つ以上のユニットが１つのユニットに統合される。
【０２４５】
統合されたユニットがソフトウェア機能ユニットの形式で実施されるとともに、独立した製品として販売されるか又は使用される場合に、統合されたユニットはコンピュータ読み取り可能な記憶媒体に記憶され得る。そのような理解に基づくと、本発明の技術的解決法は本質的に、又は、従来技術に貢献する部分は、又は、技術的解決法の一部分は、ソフトウェア製品の形式で実施され得る。ソフトウェア製品は、記憶媒体に記憶されるとともに、コンピュータデバイス（それはパーソナルコンピュータ、サーバ、ネットワークデバイス、又は同様のものであり得る）に、本発明の実施例において説明された方法のステップの全て又は一部分を実行するように指示するためのいくらかの命令を含む。上述の記憶媒体は、ＵＳＢフラッシュドライブ、リムーバブルハードディスク、読出し専用メモリ（Read-Only  Memory、略して“ＲＯＭ”）、ランダムアクセスメモリ（Random  Access  Memory、略して“ＲＡＭ”）、磁気ディスク又は光ディスクのような、プログラムコードを記憶することができるあらゆる媒体を含む。
【０２４６】
上述の説明は、単に本発明の特定の実装例に過ぎず、本発明の保護範囲を限定することを意図していない。本発明において開示された技術的な範囲内の当業者により容易に判断されるあらゆる変形又は置換は、本発明の保護範囲に含まれるものとする。したがって、本発明の保護範囲は、請求項の保護範囲に支配されるものとする。
【図１】
2020092426.tif 000005
【図２】
2020092426.tif 000006
【図３】
2020092426.tif 000007
【図４】
2020092426.tif 000008
【図５】
2020092426.tif 000009
【図６】
2020092426.tif 000010
【図７】
2020092426.tif 000011
【図８】
2020092426.tif 000012
【図９（ａ）】
2020092426.tif 000013
【図９（ｂ）】
2020092426.tif 000014
【図１０（ａ）】
2020092426.tif 000015
【図１０（ｂ）】
2020092426.tif 000016
【図１１】
2020092426.tif 000017
【図１２】
2020092426.tif 000018
【図１３】
2020092426.tif 000019
【図１４】
2020092426.tif 000020
【図１５】
2020092426.tif 000021
【図１６】
2020092426.tif 000022
【図１７】
2020092426.tif 000023
【図１８】
2020092426.tif 000024
【図１９】
2020092426.tif 000025
【手続補正書】
【提出日】令和2年2月4日(2020.2.4)
【手続補正１】
【補正対象書類名】特許請求の範囲
【補正対象項目名】全文
【補正方法】変更
【補正の内容】
【特許請求の範囲】
【請求項１】
ネットワークデバイスによって実行される無線通信方法であって、
アップリンク伝送リソース指示情報を端末装置に送信するステップであって、前記アップリンク伝送リソース指示情報が、Ｍ個の連続するサブフレームの各サブフレーム内の利用可能なリソースを指示し、Ｍが２以上の整数である、ステップと、
前記Ｍ個の連続するサブフレーム内の前記利用可能なリソースにおいて、前記端末装置からデータパケットを受信するステップであって、前記データパケットが同じデータパケットの異なる再伝送ＲＶであるか、又は、前記データパケットが同じデータパケットの同じコピーである、ステップと
を含む、方法。
【請求項２】
前記アップリンク伝送リソース指示情報は、前記Ｍ個の連続するサブフレームの各サブフレームに対応するサブフレーム番号の情報か、又は、前記Ｍ個の連続するサブフレームの各サブフレーム内の前記利用可能なリソースの時間領域シンボル位置及び周波数領域位置の情報を含む、請求項１に記載の方法。
【請求項３】
前記アップリンク伝送リソース指示情報は、前記利用可能なリソースの割り当てタイプの情報を更に含む、請求項２に記載の方法。
【請求項４】
Ｍ個の連続するサブフレームの各サブフレーム内の前記利用可能なリソースは、同じ量のシンボルを含み、Ｍ個の連続するサブフレームの各サブフレーム内の前記利用可能なリソースに含まれる前記シンボルは連続する、請求項１から請求項３のいずれか一項に記載の方法。
【請求項５】
前記データパケットが同じデータパケットの異なる再伝送ＲＶである場合、前記データパケットは、シーケンス｛０，２，３，１｝に従って循環的に番号付けされる、請求項１から請求項４のいずれか一項に記載の方法。
【請求項６】
Ｍ個の連続するサブフレームの各サブフレーム内の前記利用可能なリソースは、第１のサブフレームにおける、物理ダウンリンク制御チャネル（ＰＤＣＣＨ）によって占有されるリソースを除く残りのリソースの全部又は一部である、請求項１に記載の方法。
【請求項７】
端末装置によって実行される無線通信方法であって、
ネットワークデバイスからアップリンク伝送リソース指示情報を受信するステップであって、前記アップリンク伝送リソース指示情報が、Ｍ個の連続するサブフレームの各サブフレーム内の利用可能なリソースを指示し、Ｍが２以上の整数である、ステップと、
前記Ｍ個の連続するサブフレーム内の前記利用可能なリソースにおいて、データパケットを前記ネットワークデバイスに送信するステップであって、前記データパケットが同じデータパケットの異なる再伝送ＲＶであるか、又は、前記データパケットが同じデータパケットの同じコピーである、ステップと
を含む、方法。
【請求項８】
前記アップリンク伝送リソース指示情報は、前記Ｍ個の連続するサブフレームの各サブフレームに対応するサブフレーム番号の情報か、又は、前記Ｍ個の連続するサブフレームの各サブフレーム内の前記利用可能なリソースの時間領域シンボル位置及び周波数領域位置の情報を含む、請求項７に記載の方法。
【請求項９】
前記アップリンク伝送リソース指示情報は、前記利用可能なリソースの割り当てタイプの情報を更に含む、請求項８に記載の方法。
【請求項１０】
Ｍ個の連続するサブフレームの各サブフレーム内の前記利用可能なリソースは、同じ量のシンボルを含み、Ｍ個の連続するサブフレームの各サブフレーム内の前記利用可能なリソースに含まれる前記シンボルは連続する、請求項７から請求項９のいずれか一項に記載の方法。
【請求項１１】
前記データパケットが同じデータパケットの異なる再伝送ＲＶである場合、前記データパケットは、シーケンス｛０，２，３，１｝に従って循環的に番号付けされる、請求項７から請求項１０のいずれか一項に記載の方法。
【請求項１２】
Ｍ個の連続するサブフレームの各サブフレーム内の前記利用可能なリソースは、対応するサブフレームにおける、物理ダウンリンク制御チャネル（ＰＤＣＣＨ）によって占有されるリソースを除く残りのリソースの全部又は一部である、請求項７に記載の方法。
【請求項１３】
ネットワークデバイスであって、
アップリンク伝送リソース指示情報を端末装置に送信するように構成された送信モジュールであって、前記アップリンク伝送リソース指示情報が、Ｍ個の連続するサブフレームの各サブフレーム内の利用可能なリソースを指示し、Ｍが２以上の整数である、送信モジュールと、
前記Ｍ個の連続するサブフレーム内の前記利用可能なリソースにおいて、前記端末装置からデータパケットを受信するように構成された受信モジュールであって、前記データパケットが同じデータパケットの異なる再伝送ＲＶであるか、又は、前記データパケットが同じデータパケットの同じコピーである、受信モジュールと
を含む、ネットワークデバイス。
【請求項１４】
前記アップリンク伝送リソース指示情報は、前記Ｍ個の連続するサブフレームの各サブフレームに対応するサブフレーム番号の情報か、又は、前記Ｍ個の連続するサブフレームの各サブフレーム内の前記利用可能なリソースの時間領域シンボル位置及び周波数領域位置の情報を含む、請求項１３に記載のネットワークデバイス。
【請求項１５】
前記アップリンク伝送リソース指示情報は、前記利用可能なリソースの割り当てタイプの情報を更に含む、請求項１４に記載のネットワークデバイス。
【請求項１６】
Ｍ個の連続するサブフレームの各サブフレーム内の前記利用可能なリソースは、同じ量のシンボルを含み、Ｍ個の連続するサブフレームの各サブフレーム内の前記利用可能なリソースに含まれる前記シンボルは連続する、請求項１３から請求項１５のいずれか一項に記載のネットワークデバイス。
【請求項１７】
前記データパケットが同じデータパケットの異なる再伝送ＲＶである場合、前記データパケットは、シーケンス｛０，２，３，１｝に従って循環的に番号付けされる、請求項１３から請求項１６のいずれか一項に記載のネットワークデバイス。
【請求項１８】
Ｍ個の連続するサブフレームの各サブフレーム内の前記利用可能なリソースは、対応するサブフレームにおける、物理ダウンリンク制御チャネル（ＰＤＣＣＨ）によって占有されるリソースを除く残りのリソースの全部又は一部である、請求項１３に記載のネットワークデバイス。
【請求項１９】
端末装置であって、
ネットワークデバイスからアップリンク伝送リソース指示情報を受信するように構成されたトランシーバモジュールであって、前記アップリンク伝送リソース指示情報が、Ｍ個の連続するサブフレームの各サブフレーム内の利用可能なリソースを指示し、Ｍが２以上の整数である、トランシーバモジュール
を含み、
前記トランシーバモジュールが、前記Ｍ個の連続するサブフレーム内の前記利用可能なリソースにおいて、データパケットを前記ネットワークデバイスに送信するように更に構成され、前記データパケットが同じデータパケットの異なる再伝送ＲＶであるか、又は、前記データパケットが同じデータパケットの同じコピーである、端末装置。
【請求項２０】
前記アップリンク伝送リソース指示情報は、前記Ｍ個の連続するサブフレームの各サブフレームに対応するサブフレーム番号の情報か、又は、前記Ｍ個の連続するサブフレームの各サブフレーム内の前記利用可能なリソースの時間領域シンボル位置及び周波数領域位置の情報を含む、請求項１９に記載の端末装置。
【請求項２１】
前記アップリンク伝送リソース指示情報は、前記利用可能なリソースの割り当てタイプの情報を更に含む、請求項２０に記載の端末装置。
【請求項２２】
Ｍ個の連続するサブフレームの各サブフレーム内の前記利用可能なリソースは、同じ量のシンボルを含み、Ｍ個の連続するサブフレームの各サブフレーム内の前記利用可能なリソースに含まれる前記シンボルは連続する、請求項１９から請求項２１のいずれか一項に記載の端末装置。
【請求項２３】
前記データパケットが同じデータパケットの異なる再伝送ＲＶである場合、前記データパケットは、シーケンス｛０，２，３，１｝に従って循環的に番号付けされる、請求項１９から請求項２２のいずれか一項に記載の端末装置。
【請求項２４】
Ｍ個の連続するサブフレームの各サブフレーム内の前記利用可能なリソースは、対応するサブフレームにおける、物理ダウンリンク制御チャネル（ＰＤＣＣＨ）によって占有されるリソースを除く残りのリソースの全部又は一部である、請求項１９に記載の端末装置。
【請求項２５】
請求項１３から請求項１８のいずれか一項に記載のネットワークデバイスと、
請求項１９から請求項２４のいずれか一項に記載の端末装置と
を含む、無線通信システム。
【請求項２６】
プログラムであって、当該プログラムがコンピュータによって実行されると、請求項１から請求項６のいずれか一項に記載の方法を前記コンピュータに実行させる、プログラム。
【請求項２７】
プログラムであって、当該プログラムがコンピュータによって実行されると、請求項７から請求項１２のいずれか一項に記載の方法を前記コンピュータに実行させる、プログラム。
【外国語明細書】
2020092426000001.pdf